(57)【要約】  本願は、無線通信分野に関し、ユーザーデバイス及びユーザーデバイスの間の測位信号の送受信方法を開示する。本願において、第１のユーザーデバイスが通信インターフェースで測位基準信号を送信するとともに、物理サイド制御チャネルＰＳＣＣＨ及び／又は物理サイド共有チャネルＰＳＳＣＨで情報送信を行うことを含み、ここで、ＰＳＣＣＨ及び／又はＰＳＳＣＨの情報送信は、測位基準信号の関連属性を示す。ユーザーデバイス間の相互測位は、ユーザーデバイスとの間の直接通信によって達成され、より高いスペクトル効率及びより低い伝送遅延を有し、より高い測位精度を達成することができる。
2021516485.tif 000002
【特許請求の範囲】
【請求項１】
第１のユーザーデバイスが通信インターフェースで測位基準信号を送信するとともに、物理サイド制御チャネルＰＳＣＣＨ及び／又は物理サイド共有チャネルＰＳＳＣＨで情報送信を行うことを含み、
前記ＰＳＣＣＨ及び／又はＰＳＳＣＨでの情報送信は、前記測位基準信号の関連属性を示す
ことを特徴とするユーザーデバイス間の測位信号の送信方法。
【請求項２】
前記情報送信が前記測位基準信号の関連属性を示すことは、前記ＰＳＣＣＨ及び／又はＰＳＳＣＨにより情報送信を行う時間位置及び／又は周波数位置によって前記測位基準信号の関連属性を示すことを含む
ことを特徴とする請求項１に記載のユーザーデバイス間の測位信号の送信方法。
【請求項３】
前記測位基準信号の関連属性は、前記測位基準信号の時間位置、周波数位置、及び信号シーケンスのうちの少なくとも１つを含む
ことを特徴とする請求項２に記載のユーザーデバイス間の測位信号の送信方法。
【請求項４】
前記ＰＳＣＣＨ及び／又はＰＳＳＣＨにより情報送信を行う時間位置及び／又は周波数位置によって前記測位基準信号の関連属性を示すことは、前記測位基準信号の時間位置が前記ＰＳＣＣＨ及び／又はＰＳＳＣＨにより情報送信を行う時間位置と同じである
ことを特徴とする請求項２又は３に記載のユーザーデバイス間の測位信号の送信方法。
【請求項５】
前記ＰＳＣＣＨ及び／又はＰＳＳＣＨにより情報送信を行う時間位置及び／又は周波数位置によって前記測位基準信号の関連属性を示すことは、前記測位基準信号の周波数位置が前記ＰＳＣＣＨ及び／又はＰＳＳＣＨにより情報送信を行う周波数位置と同じである
ことを特徴とする請求項２又は３に記載のユーザーデバイス間の測位信号の送信方法。
【請求項６】
前記ＰＳＣＣＨ及び／又はＰＳＳＣＨにより情報送信を行う時間位置及び／又は周波数位置によって前記測位基準信号の関連属性を示すことは、前記ＰＳＳＣＨ及び／又はＰＳＳＣＨの特定の時間位置及び／又は周波数位置を占用する前記第１のユーザーデバイスのみが前記測位基準信号を送信するように許可することを含む
ことを特徴とする請求項２又は３に記載のユーザーデバイス間の測位信号の送信方法。
【請求項７】
前記情報送信が前記測位基準信号の関連属性を示すことは、前記ＰＳＣＣＨ及び／又はＰＳＳＣＨで送信される情報のコンテンツによって前記測位基準信号の関連属性を示すことを含む
ことを特徴とする請求項１に記載のユーザーデバイス間の測位信号の送信方法。
【請求項８】
前記測位基準信号の関連属性は、前記測位基準信号の時間位置、周波数位置、及び信号シーケンスのうちの少なくとも１つを含む
ことを特徴とする請求項７に記載のユーザーデバイス間の測位信号の送信方法。
【請求項９】
前記ＰＳＣＣＨ及び／又はＰＳＳＣＨで送信される情報のコンテンツによって前記測位基準信号の関連属性を示すことは、前記ＰＳＣＣＨ及び／又はＰＳＳＣＨで送信される情報に含まれるユーザー識別情報によって前記測位基準信号の関連属性を示すことを含む
ことを特徴とする請求項７又は８に記載のユーザーデバイス間の測位信号の送信方法。
【請求項１０】
前記ＰＳＣＣＨ及び／又はＰＳＳＣＨで送信される情報のコンテンツによって前記測位基準信号の関連属性を示すことは、前記ＰＳＣＣＨ及び／又はＰＳＳＣＨで送信される情報に含まれるＤＭＲＳの特徴によって前記測位基準信号の関連属性を示すことを含む
ことを特徴とする請求項７又は８に記載のユーザーデバイス間の測位信号の送信方法。
【請求項１１】
前記ＰＳＣＣＨ及び／又はＰＳＳＣＨで送信される情報に含まれるＤＭＲＳの特徴によって前記測位基準信号の関連属性を示すことは、前記ＰＳＣＣＨ及び／又はＰＳＳＣＨで送信される情報に含まれるＤＭＲＳのサイクリックシフトによって前記測位基準信号の関連属性を示すことを含む
ことを特徴とする請求項１０に記載のユーザーデバイス間の測位信号の送信方法。
【請求項１２】
前記通信インターフェースは、ユーザーデバイスの間の通信インターフェースである
ことを特徴とする請求項１に記載のユーザーデバイス間の測位信号の送信方法。
【請求項１３】
第２のユーザーデバイスが通信インターフェースで測位基準信号を受信するとともに、第１のユーザーデバイスに対応する物理サイド制御チャネルＰＳＣＣＨ及び／又は物理サイド共有チャネルＰＳＳＣＨで情報受信を行うことと、
前記第２のユーザーデバイスが前記ＰＳＣＣＨ及び／又はＰＳＳＣＨの情報受信に基づいて前記測位基準信号の関連属性を決定することとを含む
ことを特徴とするユーザーデバイス間の測位信号の受信方法。
【請求項１４】
前記ＰＳＣＣＨ及び／又はＰＳＳＣＨの情報受信に基づいて前記測位基準信号の関連属性を決定することは、前記ＰＳＣＣＨ及び／又はＰＳＳＣＨにより情報受信を行う時間位置及び／又は周波数位置に基づいて前記測位基準信号の関連属性を決定することを含む
ことを特徴とする請求項１３に記載のユーザーデバイス間の測位信号の受信方法。
【請求項１５】
前記測位基準信号の関連属性は、前記測位基準信号の時間位置、周波数位置、及び信号シーケンスのうちの少なくとも１つを含む
ことを特徴とする請求項１４に記載のユーザーデバイス間の測位信号の受信方法。
【請求項１６】
前記ＰＳＣＣＨ及び／又はＰＳＳＣＨにより情報受信を行う時間位置及び／又は周波数位置に基づいて前記測位基準信号の関連属性を決定することは、前記測位基準信号の時間位置が前記ＰＳＣＣＨ及び／又はＰＳＳＣＨにより情報受信を行う時間位置と同じであることを含む
ことを特徴とする請求項１４又は１５に記載のユーザーデバイス間の測位信号の受信方法。
【請求項１７】
前記ＰＳＣＣＨ及び／又はＰＳＳＣＨにより情報受信を行う時間位置及び／又は周波数位置に基づいて前記測位基準信号の関連属性を決定することは、前記測位基準信号の周波数位置が前記ＰＳＣＣＨ及び／又はＰＳＳＣＨにより情報受信を行う周波数位置と同じである
ことを特徴とする請求項１４又は１５に記載のユーザーデバイス間の測位信号の受信方法。
【請求項１８】
前記ＰＳＣＣＨ及び／又はＰＳＳＣＨにより情報受信を行う時間位置及び／又は周波数位置に基づいて前記測位基準信号の関連属性を決定することは、前記ＰＳＳＣＨ及び／又はＰＳＳＣＨの特定の時間位置及び／又は周波数位置を占用する前記第１のユーザーデバイスのみが前記測位基準信号を送信するように許可することを含む
ことを特徴とする請求項１５に記載のユーザーデバイス間の測位信号の受信方法。
【請求項１９】
前記ＰＳＣＣＨ及び／又はＰＳＳＣＨの情報受信に基づいて前記測位基準信号の関連属性を決定することは、前記ＰＳＣＣＨ及び／又はＰＳＳＣＨで受信される情報のコンテンツに基づいて前記測位基準信号の関連属性を決定することを含む
ことを特徴とする請求項１３に記載のユーザーデバイス間の測位信号の受信方法。
【請求項２０】
前記測位基準信号の関連属性は、前記測位基準信号の時間位置、周波数位置、及び信号シーケンスのうちの少なくとも１つを含む
ことを特徴とする請求項１９に記載のユーザーデバイス間の測位信号の受信方法。
【請求項２１】
前記ＰＳＣＣＨ及び／又はＰＳＳＣＨで受信される情報のコンテンツに基づいて前記測位基準信号の関連属性を決定することは、前記ＰＳＣＣＨ及び／又はＰＳＳＣＨで受信される情報に含まれるユーザー識別情報に基づいて前記測位基準信号の関連属性を決定することを含む
ことを特徴とする請求項１９又は２０に記載のユーザーデバイス間の測位信号の受信方法。
【請求項２２】
前記ＰＳＣＣＨ及び／又はＰＳＳＣＨで受信される情報のコンテンツに基づいて前記測位基準信号の関連属性を決定することは、前記ＰＳＣＣＨ及び／又はＰＳＳＣＨで受信される情報に含まれるＤＭＲＳの特徴に基づいて前記測位基準信号の関連属性を決定することを含む
ことを特徴とする請求項１９又は２０に記載のユーザーデバイス間の測位信号の受信方法。
【請求項２３】
前記ＰＳＣＣＨ及び／又はＰＳＳＣＨで受信される情報に含まれるＤＭＲＳの特徴に基づいて前記測位基準信号の関連属性を決定することは、前記ＰＳＣＣＨ及び／又はＰＳＳＣＨで受信される情報に含まれるＤＭＲＳのサイクリックシフトに基づいて前記測位基準信号の関連属性を決定することを含む
ことを特徴とする請求項２２に記載のユーザーデバイス間の測位信号の受信方法。
【請求項２４】
前記通信インターフェースは、ユーザーデバイスの間の通信インターフェースである
ことを特徴とする請求項１３に記載のユーザーデバイス間の測位信号の受信方法。
【請求項２５】
第１の送信モジュールと、第２の送信モジュールと、を備えるユーザーデバイスであって、
前記第１の送信モジュールは、通信インターフェースで測位基準信号を送信するように構成され、
前記第２の送信モジュールは、物理サイド制御チャネルＰＳＣＣＨ及び／又は物理サイド共有チャネルＰＳＳＣＨで情報送信を行うように構成され、
前記ＰＳＣＣＨ及び／又はＰＳＳＣＨでの情報送信は、前記測位基準信号の関連属性を示す
ことを特徴とするユーザーデバイス。
【請求項２６】
前記情報送信が前記測位基準信号の関連属性を示すことは、前記ＰＳＣＣＨ及び／又はＰＳＳＣＨにより情報送信を行う時間位置及び／又は周波数位置によって前記測位基準信号の関連属性を示すことを含む
ことを特徴とする請求項２５に記載のユーザーデバイス。
【請求項２７】
前記測位基準信号の関連属性は、前記測位基準信号の時間位置、周波数位置、及び信号シーケンスのうちの少なくとも１つを含む
ことを特徴とする請求項２６に記載のユーザーデバイス。
【請求項２８】
前記ＰＳＣＣＨ及び／又はＰＳＳＣＨにより情報送信を行う時間位置及び／又は周波数位置によって前記測位基準信号の関連属性を示すことは、前記測位基準信号の時間位置が前記ＰＳＣＣＨ及び／又はＰＳＳＣＨにより情報送信を行う時間位置と同じである
ことを特徴とする請求項２６又は２７に記載のユーザーデバイス。
【請求項２９】
前記ＰＳＣＣＨ及び／又はＰＳＳＣＨにより情報送信を行う時間位置及び／又は周波数位置によって前記測位基準信号の関連属性を示すことは、前記測位基準信号の周波数位置が前記ＰＳＣＣＨ及び／又はＰＳＳＣＨにより情報送信を行う周波数位置と同じである
ことを特徴とする請求項２６又は２７に記載のユーザーデバイス。
【請求項３０】
前記ＰＳＣＣＨ及び／又はＰＳＳＣＨにより情報送信を行う時間位置及び／又は周波数位置によって前記測位基準信号の関連属性を示すことは、前記ＰＳＳＣＨ及び／又はＰＳＳＣＨの特定の時間位置及び／又は周波数位置を占用する前記第１の送信モジュールのみが前記測位基準信号を送信するように許可することを含む
ことを特徴とする請求項２６又は２７に記載のユーザーデバイス。
【請求項３１】
前記情報送信が前記測位基準信号の関連属性を示すことは、前記ＰＳＣＣＨ及び／又はＰＳＳＣＨで送信される情報のコンテンツによって前記測位基準信号の関連属性を示すことを含む
ことを特徴とする請求項２５に記載のユーザーデバイス。
【請求項３２】
前記測位基準信号の関連属性は、前記測位基準信号の時間位置、周波数位置、及び信号シーケンスのうちの少なくとも１つを含む
ことを特徴とする請求項３１に記載のユーザーデバイス。
【請求項３３】
前記ＰＳＣＣＨ及び／又はＰＳＳＣＨで送信される情報のコンテンツによって前記測位基準信号の関連属性を示すことは、前記ＰＳＣＣＨ及び／又はＰＳＳＣＨで送信される情報に含まれるユーザー識別情報によって前記測位基準信号の関連属性を示すことを含む
ことを特徴とする請求項３１又は３２に記載のユーザーデバイス。
【請求項３４】
前記ＰＳＣＣＨ及び／又はＰＳＳＣＨで送信される情報のコンテンツによって前記測位基準信号の関連属性を示すことは、前記ＰＳＣＣＨ及び／又はＰＳＳＣＨで送信される情報に含まれるＤＭＲＳの特徴によって前記測位基準信号の関連属性を示すことを含む
ことを特徴とする請求項３１又は３２に記載のユーザーデバイス。
【請求項３５】
前記ＰＳＣＣＨ及び／又はＰＳＳＣＨで送信される情報に含まれるＤＭＲＳの特徴によって前記測位基準信号の関連属性を示すことは、前記ＰＳＣＣＨ及び／又はＰＳＳＣＨで送信される情報に含まれるＤＭＲＳのサイクリックシフトによって前記測位基準信号の関連属性を示すことを含む
ことを特徴とする請求項３４に記載のユーザーデバイス。
【請求項３６】
前記通信インターフェースは、ユーザーデバイスの間の通信インターフェースである
ことを特徴とする請求項２５に記載のユーザーデバイス。
【請求項３７】
第１の受信モジュールと、第２の受信モジュールと、決定モジュールと、を備えるユーザーデバイスであって、
前記第１の受信モジュールは、通信インターフェースで測位基準信号を受信するように構成され、
前記第２の受信モジュールは、物理サイド制御チャネルＰＳＣＣＨ及び／又は物理サイド共有チャネルＰＳＳＣＨで情報受信を行うように構成され、
前記決定モジュールは、前記ＰＳＣＣＨ及び／又はＰＳＳＣＨの情報受信に基づいて前記測位基準信号の関連属性を決定するように構成される
ことを特徴とするユーザーデバイス。
【請求項３８】
前記ＰＳＣＣＨ及び／又はＰＳＳＣＨの情報受信に基づいて前記測位基準信号の関連属性を決定することは、前記ＰＳＣＣＨ及び／又はＰＳＳＣＨにより情報受信を行う時間位置及び／又は周波数位置に基づいて前記測位基準信号の関連属性を決定することを含む
ことを特徴とする請求項３７に記載のユーザーデバイス。
【請求項３９】
前記測位基準信号の関連属性は、前記測位基準信号の時間位置、周波数位置、及び信号シーケンスのうちの少なくとも１つを含む
ことを特徴とする請求項３８に記載のユーザーデバイス。
【請求項４０】
前記ＰＳＣＣＨ及び／又はＰＳＳＣＨにより情報受信を行う時間位置及び／又は周波数位置に基づいて前記測位基準信号の関連属性を決定することは、前記測位基準信号の時間位置が前記ＰＳＣＣＨ及び／又はＰＳＳＣＨにより情報受信を行う時間位置と同じであることを含む
ことを特徴とする請求項３８又は３９に記載のユーザーデバイス。
【請求項４１】
前記ＰＳＣＣＨ及び／又はＰＳＳＣＨにより情報受信を行う時間位置及び／又は周波数位置に基づいて前記測位基準信号の関連属性を決定することは、前記測位基準信号の周波数位置が前記ＰＳＣＣＨ及び／又はＰＳＳＣＨにより情報受信を行う周波数位置と同じである
ことを特徴とする請求項３８又は３９に記載のユーザーデバイス。
【請求項４２】
前記ＰＳＣＣＨ及び／又はＰＳＳＣＨにより情報受信を行う時間位置及び／又は周波数位置に基づいて前記測位基準信号の関連属性を決定することは、前記ＰＳＳＣＨ及び／又はＰＳＳＣＨの特定の時間位置及び／又は周波数位置を占用する前記第１のユーザーデバイスのみが前記測位基準信号を送信するように許可することを含む
ことを特徴とする請求項３８又は３９に記載のユーザーデバイス。
【請求項４３】
前記ＰＳＣＣＨ及び／又はＰＳＳＣＨの情報受信に基づいて前記測位基準信号の関連属性を決定することは、前記ＰＳＣＣＨ及び／又はＰＳＳＣＨで受信される情報のコンテンツに基づいて前記測位基準信号の関連属性を決定することを含む
ことを特徴とする請求項３７に記載のユーザーデバイス。
【請求項４４】
前記測位基準信号の関連属性は、前記測位基準信号の時間位置、周波数位置、及び信号シーケンスのうちの少なくとも１つを含む
ことを特徴とする請求項４３に記載のユーザーデバイス。
【請求項４５】
前記ＰＳＣＣＨ及び／又はＰＳＳＣＨで受信される情報のコンテンツに基づいて前記測位基準信号の関連属性を決定することは、前記ＰＳＣＣＨ及び／又はＰＳＳＣＨで受信される情報に含まれるユーザー識別情報に基づいて前記測位基準信号の関連属性を決定することを含む
ことを特徴とする請求項４３又は４４に記載のユーザーデバイス。
【請求項４６】
前記ＰＳＣＣＨ及び／又はＰＳＳＣＨで受信される情報のコンテンツに基づいて前記測位基準信号の関連属性を決定することは、前記ＰＳＣＣＨ及び／又はＰＳＳＣＨで受信される情報に含まれるＤＭＲＳの特徴に基づいて前記測位基準信号の関連属性を決定することを含む
ことを特徴とする請求項４３又は４４に記載のユーザーデバイス。
【請求項４７】
前記ＰＳＣＣＨ及び／又はＰＳＳＣＨで受信される情報に含まれるＤＭＲＳの特徴に基づいて前記測位基準信号の関連属性を決定することは、前記ＰＳＣＣＨ及び／又はＰＳＳＣＨで受信される情報に含まれるＤＭＲＳのサイクリックシフトに基づいて前記測位基準信号の関連属性を決定することを含む
ことを特徴とする請求項４６に記載のユーザーデバイス。
【請求項４８】
前記通信インターフェースは、ユーザーデバイスの間の通信インターフェースである
ことを特徴とする請求項３７に記載のユーザーデバイス。
【請求項４９】
プロセッサによって実行されると、請求項１〜１２のいずれか１項に記載の方法ステップ、又は、請求項１３〜２４のいずれか１項に記載の方法ステップを実現するコンピュータ実行可能命令を記憶した
ことを特徴とするコンピュータ記憶媒体。
【発明の詳細な説明】
【技術分野】
【０００１】
本願は、無線通信分野に関し、特に、ユーザーデバイスの間の測位信号の送受信技術に関する。
【背景技術】
【０００２】
車両ネットシステムは、従来のＬＴＥシステムにおける基地局を介した通信データの受信または送信方式とは異なり、端末間直接通信方式を採用し、したがって、より高いスペクトル効率およびより低い伝送遅延を有するＬＴＥ−Ｄ２Ｄベースのサイドリンク伝送技術( ＳＬ：Ｓｉｄｅｌｉｎｋ )である。
【０００３】
しかし、車両ネットシステムでは、衛星測位(例えばＧＰＳ、北斗等)の測位精度だけでは車線を区別できず(サブメートル単位の測位が必要)、車両同士で再度相互測位することでＧＰＳ測位の精度を補正するという測位精度の問題が依然として残っている。どのように車両間の相互位置を特定し、すなわち、どのように車両間の測位信号を送信するかが主な問題となる。
【発明の概要】
【０００４】
本願は、ユーザーデバイス間の相互測位により、より高い測位精度を実現するユーザーデバイス及びユーザーデバイス間における測位信号の送受信方法を提供することを目的とする。
【０００５】
本願は、以上の課題を解決するために、ユーザーデバイス間の測位信号の送信方法を提供し、
第１のユーザーデバイスが通信インターフェースで測位基準信号を送信するとともに、物理サイド制御チャネルＰＳＣＣＨ及び／又は物理サイド共有チャネルＰＳＳＣＨで情報送信を行うことを含み、ここで、該ＰＳＣＣＨ及び／又はＰＳＳＣＨの情報送信は、該測位基準信号の関連属性を示す。
【０００６】
本願は、また、ユーザーデバイス間の測位信号の受信方法を提供し、
第２のユーザーデバイスが通信インターフェースで測位基準信号を受信するとともに、第１のユーザーデバイスに対応する物理サイド制御チャネルＰＳＣＣＨ及び／又は物理サイド共有チャネルＰＳＳＣＨで情報受信を行うことと、
該第２のユーザーデバイスが該ＰＳＣＣＨ及び／又はＰＳＳＣＨの情報受信に基づいて該測位基準信号の関連属性を決定することとを含む。
【０００７】
本願は、また、ユーザーデバイスを提供し、第１の送信モジュール及び第２の送信モジュールを含み、
第１の送信モジュールは、通信インターフェースで測位基準信号を送信するように構成され、
第２の送信モジュールは、物理サイド制御チャネルＰＳＣＣＨ及び／又は物理サイド共有チャネルＰＳＳＣＨで情報送信を行うように構成され、ここで、該ＰＳＣＣＨ及び／又はＰＳＳＣＨの情報送信は、該測位基準信号の関連属性を示す。
【０００８】
本願は、また、ユーザーデバイスを提供し、第１の受信モジュール、第２の受信モジュール及び決定モジュールを含み
第１の受信モジュールは、通信インターフェースで測位基準信号を受信するように構成され、
第２の受信モジュールは、物理サイド制御チャネルＰＳＣＣＨ及び／又は物理サイド共有チャネルＰＳＳＣＨで情報受信を行うように構成され、
決定モジュールは、該ＰＳＣＣＨ及び／又はＰＳＳＣＨの情報受信に基づいて該測位基準信号の関連属性を決定するように構成される。
【０００９】
本願は、プロセッサによって実行されたときに、請求項１〜１２のいずれか１項に記載の方法ステップ、又は請求項１３〜２４のいずれか１項に記載の方法ステップを実施するコンピュータ実行可能命令を記憶したコンピュータ記憶媒体をさらに提供する。
【００１０】
本発明の実施形態は、従来技術と比較して、ユーザーデバイスとの間の直接通信方式によりユーザーデバイス間の相互測位を実現し、より高いスペクトル効率及びより低い伝送遅延を有し、より高い測位精度を達成することができる。
【００１１】
本願明細書には多数の技術的特徴が記載されているが、各技術的特徴の中で、本願の全ての可能な技術的特徴の組み合わせ(すなわち、技術的特徴)を羅列しようとすると、明細書が冗長になりすぎる。この問題を回避するために、本願において開示されている各構成要件、後述する各実施の形態及び実施例において開示されている各構成要件、並びに図面に記載されている各構成要件は、何れも本明細書中に記載されているものとみなされるべきであり、技術的に可能な限りにおいて新規なものとして構成されるべきである。例えば、一例では特徴Ａ＋Ｂ＋Ｃを、別の例では特徴Ａ＋Ｂ＋Ｄ＋Ｅを開示しているが、特徴ＣとＤは同じ役割を果たす同等の技術的手段であり、技術的に択一的に使用されば同時採用は不可能であり、特徴Ｅは特徴Ｃと技術的に組み合わせることができれば、Ａ＋Ｂ＋Ｃ＋Ｄのスキームは技術的に実現できないので既に記載されているとみなされず、Ａ＋Ｂ＋Ｃ＋Ｅのスキームは既に記載されているとみなされるべきである。
【図面の簡単な説明】
【００１２】
【図１】５Ｇ通信システムにおけるモード３の模式図である。
【図２】５Ｇ通信システムにおけるモード４の模式図である。
【図３】本願の第１の実施形態におけるユーザーデバイス間の測位信号の送信方法のフローチャートである。
【図４】本願の第２の実施形態におけるユーザーデバイス間の測位信号の受信方法のフローチャートである。
【図５】本願の第３の実施形態におけるユーザーデバイスの構成図である。
【図６】本願の第４の実施形態におけるユーザーデバイスの構成図である。
【発明を実施するための形態】
【００１３】
以下の記述では、本願をより良く理解するために、多くの技術的詳細が提示される。しかしながら、これらの技術的詳細および以下の各実施形態に基づく種々の変更および修正がなくても、本願で特許請求する技術的解決手段が実現され得ることが当業者には理解されよう。
【００１４】
一部の用語の説明：
ＬＴＥ：Ｌｏｎｇ Ｔｅｒｍ Ｅｖａｌｕａｔｉｏｎ、ロングタームエボリューション
Ｖ２Ｖ：Ｖｅｈｉｃｌｅ ｔｏ Ｖｅｈｉｃｌｅ、車両間
Ｖ２Ｘ：Ｖｅｈｉｃｌｅ ｔｏ Ｅｖｅｒｙｔｈｉｎｇ、車両から他の機器
Ｄ２Ｄ：Ｄｅｖｉｃｅ ｔｏ Ｄｅｖｉｃｅ、端末間
ＳＡ：Ｓｃｈｅｄｕｌｉｎｇ Ａｓｓｉｇｎｍｅｎｔ、スケジューリング割り当て
ＤＣＩ：Ｄｏｗｎｌｉｎｋ Ｃｏｎｔｒｏｌ Ｉｎｆｏｒｍａｔｉｏｎ、下りリンク制御情報
ＳＣＩ：Ｓｉｄｅｌｉｎｋ Ｃｏｎｔｒｏｌ Ｉｎｆｏｒｍａｔｉｏｎ、サイドリンク制御情報
ＰＳＣＣＨ：Ｐｈｙｓｉｃａｌ Ｓｉｄｅｌｉｎｋ Ｃｏｎｔｒｏｌ Ｃｈａｎｎｅｌ、物理サイド制御チャネル
ＰＳＳＣＨ：Ｐｈｙｓｉｃａｌ Ｓｉｄｅｌｉｎｋ Ｓｈａｒｅｄ Ｃｈａｎｎｅｌ、物理サイド共有チャネル
ＰＤＣＰ：Ｐａｃｋｅｔ Ｄａｔａ Ｃｏｎｖｅｒｇｅｎｃｅ Ｐｒｏｔｏｃｏｌ、パケットデータコンバージェンスプロトコル
ＲＬＣ：Ｒａｄｉｏ Ｌｉｎｋ Ｃｏｎｔｒｏｌ、無線リンク層制御プロトコル
ＳＬ：Ｓｉｄｅｌｉｎｋ、サイドリンク
ＵＥ：Ｕｓｅｒ Ｅｑｕｉｐｍｅｎｔ、ユーザーデバイス
ＰＲＳ：ＰｏｓｉｔｉｏｎｉｎｇＲｅｆｅｒｅｎｃｅＳｉｇｎａｌ、測位基準信号
ＤＭＲＳ：Ｄｅｍｏｄｕｌａｔｉｏｎ Ｒｅｆｅｒｅｎｃｅ Ｓｉｇｎａｌ、復調参照信号
ｃｙｃｌｉｃ ｓｈｉｆｔ、サイクリックシフト
【００１５】
本願の応用シナリオを以下に簡単に紹介する
車両ネットワーク技術( Ｖ２Ｘ )は、３ ＧＰＰ Ｒｅｌ-１４で標準化されており、モード３とモード４の２つの伝送モードが定義されている
モード３：図１に示すように、車載端末の伝送リソースは、基地局から割り当てられ、車載端末は、基地局から割り当てられたリソースに従ってサイドリンクでデータの送信を行い、基地局は、端末に一回の伝送のリソースを割り当ててもよいし、端末に半静的伝送のリソースを割り当ててもよい。
【００１６】
モード４：図２に示すように、車載端末は、センシング＋予約の伝送方式を採用する。車載端末は、リソースプールにおいて利用可能な伝送リソース集合をセンシングすることにより取得し、車載端末は、この伝送リソース集合からランダムに１つのリソースを抽出してデータの伝送を行う。車載端末は、車載ネットワークシステムにおけるサービスの周期性の特徴を有するから、半静的伝送方式が採用されることが多く、即ち、１つの伝送リソースを選択した後、複数の伝送周期にわたってこのリソースを使用し続けることで、リソースの再選択や衝突の確率を下げる。車載端末は今回伝送した制御情報に次回送信したリソースを予約する旨の情報を載せることで、他の端末は当該車載端末の制御情報を検出することで当該リソースが当該車載端末に予約使用されているか否かを判断することができ、リソースの衝突の低減を図ることができる。
【００１７】
以下、本願の目的、技術案を明確するために、本願の実施の形態について、図面を参照して詳細に説明する。
【００１８】
まず、本発明の開示の実施形態において、言及されるユーザーデバイスは、スマートフォン、タブレット、デスクトップ、ラップトップ、カスタム無線端末、モノのネットワークノード、無線通信モジュールなど、相互間で約定された通信プロトコルに従って無線通信が可能であれば、多種多様なものとすることができる。
【００１９】
本願の技術案は、限定するものではないが、車両ネットワークシステムに適用できる。
【００２０】
本願の第１の実施形態は、ユーザーデバイス間の測位信号の送信方法に関する。図３は該ユーザーデバイス間の測位信号の送信方法のフローチャートである。
【００２１】
具体的に、図３に示すように、該ユーザーデバイス間の測位信号の送信方法は、以下のステップを含む。
【００２２】
ステップ３０１において、第１のユーザーデバイスが通信インターフェースで測位基準信号を送信する。
【００２３】
ステップ３０２において、物理サイド制御チャネルＰＳＣＣＨ及び／又は物理サイド共有チャネルＰＳＳＣＨで情報送信を行い、ここで、ＰＳＣＣＨ及び／又はＰＳＳＣＨの情報送信が測位基準信号の関連属性を示す。
【００２４】
なお、ステップ３０１とステップ３０２とが前後関係がなく、測位基準信号を送信してからＰＳＣＣＨ及び／又はＰＳＳＣＨで情報送信を行ってもよいし、ＰＳＣＣＨ及び／又はＰＳＳＣＨで情報送信を行ってから測位基準信号を送信してもよいし、測位基準信号の送信及びＰＳＣＣＨ及び／又はＰＳＳＣＨの情報送信を同時に行ってもよい。
【００２５】
その後このステップが完了する。
【００２６】
ステップ３０１において、通信インターフェースは、ユーザーデバイスとユーザーデバイスとの間の通信インターフェースであり、この実施形態において、好ましくは、ＰＣ５インターフェースである。
【００２７】
ステップ３０２において、第１のユーザーデバイスが対応するＰＳＣＣＨ及び／又はＰＳＳＣＨを有し、第１のユーザーデバイスに対応するＰＳＣＣＨ及び／又はＰＳＳＣＨで情報送信を行い、該情報送信は、ＰＳＣＣＨ及び／又はＰＳＳＣＨと測位基準信号ＰＲＳとの対応関係を含む。つまり、ステップ３０２において、ＰＳＣＣＨ及び／又はＰＳＳＣＨとＰＲＳとの対応関係を決定することで、送信ＵＥ（第１のユーザーデバイス）とＰＲＳとの対応関係を決定する。
【００２８】
測位基準信号の関連属性は、測位基準信号の時間位置、周波数位置、及び信号シーケンスのうちの少なくとも１つを含む。
【００２９】
ステップ３０２が複数の実現形態を有し、例えば、
ステップ３０２の第１の実現形態として、ＰＳＣＣＨ及び／又はＰＳＳＣＨを情報送信を行う時間位置及び／又は周波数位置によって、測位基準信号の関連属性を示す。つまり、測位基準信号の関連属性は、ＰＳＣＣＨ及び／又はＰＳＳＣＨにより情報送信を行う時間位置及び／又は周波数位置を介して、暗黙的に取得される。この第１の実現形態は、複数の好ましい実施例を有し、具体的に、
実施例１：測位基準信号の時間位置がＰＳＣＣＨ及び／又はＰＳＳＣＨにより情報送信を行う時間位置と同じであり、又は、測位基準信号の時間位置がＰＳＣＣＨ及び／又はＰＳＳＣＨにより情報送信を行う時間位置とが一対一に対応する。
【００３０】
実施例２：ＰＳＣＣＨが測位基準信号を別にスケジューリングし、又は、ＰＳＣＣＨがＰＳＳＣＨをスケジューリングするととも、測位基準信号に対応する。
【００３１】
実施例３：測位基準信号の周波数位置がＰＳＣＣＨ及び／又はＰＳＳＣＨにより情報送信を行う周波数位置と同じであり、又は、測位基準信号の周波数位置がＰＳＣＣＨ及び／又はＰＳＳＣＨにより情報送信を行う周波数位置とが一対一に対応する。
【００３２】
実施例４：測位基準信号の周波数位置がＰＳＣＣＨ及び／又はＰＳＳＣＨにより情報送信を行う周波数位置と異なる。例えば、測位基準信号は、ＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、ＰＳＳＣＨ及び／又はＰＳＳＣＨの特定の時間位置及び／又は周波数位置を占用する第１のユーザーデバイスのみが測位基準信号を送信するように許可する。
【００３３】
ステップ３０２の第２の実現形態として、ＰＳＣＣＨ及び／又はＰＳＳＣＨにより送信される情報のコンテンツによって、測位基準信号の関連属性を示す。つまり、測位基準信号の関連属性は、ＰＳＣＣＨ及び／又はＰＳＳＣＨにより送信される情報のコンテンツにより明示的に取得される。第２の実現形態は、複数の好ましい実施例を有し、具体的に、
実施例１：測位基準信号の時間位置は、ＰＳＣＣＨ及び／又はＰＳＳＣＨにより送信される情報のコンテンツによって示す。
【００３４】
実施例２：測位基準信号の周波数位置は、ＰＳＣＣＨ及び／又はＰＳＳＣＨにより送信される情報のコンテンツによって示す。
【００３５】
実施例３：測位基準信号の信号シーケンスは、ＰＳＣＣＨ及び／又はＰＳＳＣＨで送信される情報に含まれる特定のビットであり、又は、ＰＳＣＣＨ及び／又はＰＳＳＣＨで送信される情報に含まれる他の情報により取得される。
【００３６】
測位基準信号の信号シーケンスがＰＳＣＣＨおよび/またはＰＳＳＣＨで送信される情報に含まれる他の情報によって推定される場合、例えば、ＰＳＣＣＨおよび/またはＰＳＳＣＨで送信される情報に含まれるユーザ識別情報によって推定することができる。例えば、送信データブロックにおける合計８個の信号シーケンスを想定し、そのユーザ識別情報を１バイト( ８ビット)の長さとし、その８ビットのユーザ識別情報の値をモジュロ８演算した結果が７であったとすると、ＰＲＳは送信データブロックにおける７番目の信号シーケンスである。あるいは、ＰＳＣＣＨおよび/またはＰＳＳＣＨによって送信された情報に含まれるＤＭＲＳの特徴によって、例えば、ＤＭＲＳのサイクリックシフト( ｃｙｃｌｉｃ ｓｈｉｆｔ )によって、推定されてもよい。
【００３７】
又は、信号シーケンス以外、測位基準信号の他の関連属性は、ＰＳＣＣＨ及び／又はＰＳＳＣＨで送信される情報に含まれる特定のビットであってもよい。
【００３８】
又は、測位基準信号の他の関連属性は、ＰＳＣＣＨ及び／又はＰＳＳＣＨで送信される情報に含まれる他の情報により推定される。例えば、ＰＳＣＣＨ及び／又はＰＳＳＣＨで送信される情報に含まれるユーザー識別情報により推定される。また、例えば、ＰＳＣＣＨ及び／又はＰＳＳＣＨで送信される情報に含まれるＤＭＲＳの特徴により推定され、例えば、ＤＭＲＳのサイクリックシフト（ｃｙｃｌｉｃ ｓｈｉｆｔ）により推定される。
【００３９】
実施例４：ＰＳＣＣＨが測位基準信号を別にスケジューリングし、又は、ＰＳＣＣＨがＰＳＳＣＨをスケジューリングするとともに、測位基準信号に対応する。
【００４０】
実施例５：測位基準信号の周波数位置がＰＳＣＣＨ及び／又はＰＳＳＣＨにより情報送信を行う周波数位置と同じであり、又は、測位基準信号の周波数位置がＰＳＣＣＨ及び／又はＰＳＳＣＨにより情報送信を行う周波数位置に一対一に対応する。
【００４１】
実施例６：測位基準信号の周波数位置がＰＳＣＣＨ及び／又はＰＳＳＣＨにより情報送信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、ＰＳＳＣＨ及び／又はＰＳＳＣＨの特定の時間位置及び／又は周波数位置を占用する第１のユーザーデバイスのみが測位基準信号を送信するように許可してもよい。
【００４２】
なお、以上のステップ３０２の２つの実現形態が組み合わせて使用されてもよく、例えば、ＰＲＳの時間周波数位置は、ＰＳＣＣＨ及び／又はＰＳＳＣＨにより情報送信を行う時間周波数位置で暗黙的に取得されてもよく、ＰＲＳの信号シーケンスは、ＰＳＣＣＨ及び／又はＰＳＳＣＨにより送信される情報のコンテンツで明示的に取得されてもよく、又は、逆に、ＰＲＳの信号シーケンスは、ＰＳＣＣＨ及び／又はＰＳＳＣＨにより情報送信を行う時間周波数位置で暗黙的に取得され、ＰＲＳの時間周波数位置は、ＰＳＣＣＨ及び／又はＰＳＳＣＨにより送信される情報のコンテンツで明示的に取得される。
【００４３】
このように、受信ユーザーデバイス（第２のユーザーデバイス）は、ＰＳＣＣＨ及び／又はＰＳＳＣＨでＰＲＳの時間周波数位置、信号シーケンス、及び送信ＵＥ（送信ユーザーデバイス、即ち第１のユーザーデバイス）とＰＲＳとの対応関係を把握して、ユーザーデバイスの間での測位信号を送信を実現し、ユーザーデバイスの間で相互測位を行う。
【００４４】
本願第２の実施形態は、ユーザーデバイス間の測位信号の受信方法に関する。
【００４５】
第１の実施形態は、ユーザーデバイス間の測位信号の送信方法を示し、第２の実施形態は、ユーザーデバイス間の測位信号の受信方法であり、両者は対応するプロセスであり、技術的思想は一致し、関連する詳細は相互利用可能である。図４は、該ユーザーデバイス間の測位信号の受信方法のフローチャートである。
【００４６】
具体的に、図４に示すように、該ユーザーデバイス間の測位信号の受信方法は、以下のステップを含む。
【００４７】
ステップ４０１において、第２のユーザーデバイスが通信インターフェースで測位基準信号を受信する。
【００４８】
ステップ４０２において、第１のユーザーデバイスに対応する物理サイド制御チャネルＰＳＣＣＨ及び／又は物理サイド共有チャネルＰＳＳＣＨで情報受信を行う。
【００４９】
なお、ステップ４０１とステップ４０２とが前後関係がなく、測位基準信号を送信してからＰＳＣＣＨ及び／又はＰＳＳＣＨで情報送信を行ってもよいし、ＰＳＣＣＨ及び／又はＰＳＳＣＨで情報送信を行ってから測位基準信号を送信してもよいし、測位基準信号の送信及びＰＳＣＣＨ及び／又はＰＳＳＣＨの情報送信を同時に行ってもよい。
【００５０】
ステップ４０３において、第２のユーザーデバイスは、ＰＳＣＣＨ及び／又はＰＳＳＣＨの情報受信に基づいて測位基準信号の関連属性を決定する。
【００５１】
その後このステップが完了する。
【００５２】
ステップ４０１において、通信インターフェースは、ユーザーデバイスとユーザーデバイスとの間の通信インターフェースであり、この実施形態において、好ましくは、ＰＣ５インターフェースである。
【００５３】
ステップ４０２において、情報受信は、ＰＳＣＣＨ及び／又はＰＳＳＣＨと測位基準信号ＰＲＳとの対応関係を含む。ステップ４０３において、ＰＳＣＣＨ及び／又はＰＳＳＣＨとＰＲＳ的との対応関係を決定することで、送信ＵＥ（第１のユーザーデバイス）とＰＲＳとの対応関係を決定する。
【００５４】
なお、本願の第１の実施形態におけるＰＳＣＣＨ及び／又はＰＳＳＣＨにより情報送信を行う時間位置、周波数位置、送信される情報のコンテンツは、この実施形態におけるＰＳＣＣＨ及び／又はＰＳＳＣＨにより情報受信を行う時間位置、周波数位置、受信される情報のコンテンツとは、同じである。
【００５５】
測位基準信号の関連属性は、測位基準信号の時間位置、周波数位置、及び信号シーケンスのうちの少なくとも１つを含む。
【００５６】
ステップ４０３が複数の実現形態を有し、例えば、
ステップ４０３の第１の実現形態として、ＰＳＣＣＨ及び／又はＰＳＳＣＨにより情報受信を行う時間位置及び／又は周波数位置に基づいて、測位基準信号の関連属性を決定する。つまり、測位基準信号の関連属性は、ＰＳＣＣＨ及び／又はＰＳＳＣＨにより情報受信を行う時間位置及び／又は周波数位置によって、暗黙的に取得される。該第１の実現形態は、複数の好ましい実施例を有し、具体的に、
実施例１：測位基準信号の時間位置がＰＳＣＣＨ及び／又はＰＳＳＣＨにより情報受信を行う時間位置と同じであり、又は、測位基準信号の時間位置がＰＳＣＣＨ及び／又はＰＳＳＣＨにより情報受信を行う時間位置とが一対一対応する。
【００５７】
実施例２：ＰＳＣＣＨが測位基準信号を別にスケジューリングし、又は、ＰＳＣＣＨがＰＳＳＣＨをスケジューリングするとともに、測位基準信号に対応する。
【００５８】
実施例３：測位基準信号の周波数位置がＰＳＣＣＨ及び／又はＰＳＳＣＨにより情報受信を行う周波数位置と同じであり、又は、測位基準信号の周波数位置がＰＳＣＣＨ及び／又はＰＳＳＣＨにより情報受信を行う周波数位置と一対一対応する。
【００５９】
実施例４：測位基準信号の周波数位置がＰＳＣＣＨ及び／又はＰＳＳＣＨにより情報受信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、ＰＳＳＣＨ及び／又はＰＳＳＣＨの特定の時間位置及び／又は周波数位置を占用する第１のユーザーデバイスのみが測位基準信号を送信するように許可してもよい。
【００６０】
ステップ４０３の第２の実現形態として、ＰＳＣＣＨ及び／又はＰＳＳＣＨで受信される情報のコンテンツに基づいて測位基準信号の関連属性を決定する。つまり、測位基準信号の関連属性は、ＰＳＣＣＨ及び／又はＰＳＳＣＨで受信される情報のコンテンツにより明示的に取得される。該第２の実現形態は、複数の好ましい実施例を有し、具体的に、
実施例１：測位基準信号の時間位置は、ＰＳＣＣＨ及び／又はＰＳＳＣＨで受信される情報のコンテンツによって示す。
【００６１】
実施例２：測位基準信号の周波数位置は、ＰＳＣＣＨ及び／又はＰＳＳＣＨで受信される情報のコンテンツによって示す。
【００６２】
実施例３：測位基準信号の信号シーケンスは、ＰＳＣＣＨ及び／又はＰＳＳＣＨで受信される情報に含まれる特定のビットであり、又は、ＰＳＣＣＨ及び／又はＰＳＳＣＨで受信される情報に含まれる他の情報で推定される。
【００６３】
測位基準信号の信号シーケンスがＰＳＣＣＨおよび/またはＰＳＳＣＨで受信される情報に含まれる他の情報によって推定される場合、例えば、ＰＳＣＣＨおよび/またはＰＳＳＣＨで受信される情報に含まれるユーザ識別情報によって推定することができる。例えば、受信データブロックにおける合計８個の信号シーケンスを想定し、そのユーザ識別情報を１バイト( ８ビット)の長さとし、その８ビットのユーザ識別情報の値をモジュロ８演算した結果が７であったとすると、ＰＲＳは受信データブロックにおける７番目の信号シーケンスである。あるいは、ＰＳＣＣＨおよび/またはＰＳＳＣＨによって受信された情報に含まれるＤＭＲＳの特徴によって、例えば、ＤＭＲＳのサイクリックシフト( ｃｙｃｌｉｃ ｓｈｉｆｔ )によって、推定されてもよい。
【００６４】
又は、信号シーケンス以外、測位基準信号の他の関連属性は、ＰＳＣＣＨ及び／又はＰＳＳＣＨで受信される情報に含まれる特定のビットであってもよい。
【００６５】
又は、測位基準信号の他の関連属性は、ＰＳＣＣＨ及び／又はＰＳＳＣＨで受信される情報に含まれる他の情報により推定される。例えば、ＰＳＣＣＨ及び／又はＰＳＳＣＨで受信される情報に含まれるユーザー識別情報により推定される。また、例えば、ＰＳＣＣＨ及び／又はＰＳＳＣＨで受信される情報に含まれるＤＭＲＳの特徴により推定され、例えば、ＤＭＲＳのサイクリックシフト（ｃｙｃｌｉｃ ｓｈｉｆｔ）により推定される。
【００６６】
実施例４：ＰＳＣＣＨが測位基準信号を別にスケジューリングし、又は、ＰＳＣＣＨがＰＳＳＣＨをスケジューリングするとともに、測位基準信号に対応する。
【００６７】
実施例５：測位基準信号の周波数位置がＰＳＣＣＨ及び／又はＰＳＳＣＨにより情報受信を行う周波数位置と同じであり、又は、測位基準信号の周波数位置がＰＳＣＣＨ及び／又はＰＳＳＣＨにより情報受信を行う周波数位置と一対一対応する。
【００６８】
実施例６：測位基準信号の周波数位置がＰＳＣＣＨ及び／又はＰＳＳＣＨにより情報受信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、前記ＰＳＳＣＨ及び／又はＰＳＳＣＨの特定の時間位置及び／又は周波数位置を占用する第１のユーザーデバイスのみが測位基準信号を送信するように許可しても良い。
【００６９】
なお、上記のステップ４０３の２つの実現形態が組み合わせて使用されてもよく、例えば、ＰＲＳの時間周波数位置は、ＰＳＣＣＨ及び／又はＰＳＳＣＨにより情報受信を行う時間周波数位置によって暗黙的に取得されてもよく、ＰＲＳの信号シーケンスは、ＰＳＣＣＨ及び／又はＰＳＳＣＨで受信される情報のコンテンツによって明示的に取得されてもよく、又は、逆に、ＰＲＳの信号シーケンスは、ＰＳＣＣＨ及び／又はＰＳＳＣＨにより情報受信を行う時間周波数位置によって暗黙的に取得され、ＰＲＳの時間周波数位置は、ＰＳＣＣＨ及び／又はＰＳＳＣＨで受信される情報のコンテンツによって明示的に取得される。
【００７０】
このように、受信ユーザーデバイス（第２のユーザーデバイス）は、ＰＳＣＣＨ及び／又はＰＳＳＣＨでＰＲＳの時間周波数位置、信号シーケンス、及び送信ＵＥ（送信ユーザーデバイス、即ち第１のユーザーデバイス）とＰＲＳとの対応関係を把握して、ユーザーデバイスの間での測位信号を送信を実現し、ユーザーデバイスの間で相互測位を行う。
【００７１】
本願の第３の実施形態はユーザーデバイスに関する。
【００７２】
図５は該ユーザーデバイスの構成図であり、具体的に、図５に示すように、該ユーザーデバイスは、第１の送信モジュール及び第２の送信モジュールを含み、
第１の送信モジュールは、通信インターフェースで測位基準信号を送信するように構成され、ここで、通信インターフェースは、ユーザーデバイスとユーザーデバイスとの間の通信インターフェースであり、この実施形態において、好ましくは、ＰＣ５インターフェースである。
【００７３】
第２の送信モジュールは、物理サイド制御チャネルＰＳＣＣＨ及び／又は物理サイド共有チャネルＰＳＳＣＨで情報送信を行うように構成され、ここで、ＰＳＣＣＨ及び／又はＰＳＳＣＨの情報送信は、測位基準信号の関連属性を示す。
【００７４】
測位基準信号の関連属性は、測位基準信号の時間位置、周波数位置、及び信号シーケンスのうちの少なくとも１つを含む。
【００７５】
第２の送信モジュールは、ＰＳＣＣＨ及び／又はＰＳＳＣＨとＰＲＳとの対応関係を決定することで、送信ＵＥとＰＲＳとの対応関係を決定する。第２の送信モジュールは、複数の実現形態を有し、例えば、
第２の送信モジュールの第１の実現形態として、ＰＳＣＣＨ及び／又はＰＳＳＣＨにより情報送信を行う時間位置及び／又は周波数位置によって測位基準信号の関連属性を示す。つまり、測位基準信号の関連属性は、ＰＳＣＣＨ及び／又はＰＳＳＣＨにより情報送信を行う時間位置及び／又は周波数位置によって暗黙的に取得される。該第１の実現形態として、複数の好ましい実施例を有し、具体的に、
実施例１：測位基準信号の時間位置がＰＳＣＣＨ及び／又はＰＳＳＣＨにより情報送信を行う時間位置と同じであり、又は、測位基準信号の時間位置がＰＳＣＣＨ及び／又はＰＳＳＣＨにより情報送信を行う時間位置に一対一対応する。
【００７６】
実施例２：ＰＳＣＣＨが測位基準信号を別にスケジューリングし、又は、ＰＳＣＣＨがＰＳＳＣＨをスケジューリングするとともに、測位基準信号に対応する。
【００７７】
実施例３：測位基準信号の周波数位置がＰＳＣＣＨ及び／又はＰＳＳＣＨにより情報送信を行う周波数位置と同じであり、又は、測位基準信号の周波数位置がＰＳＣＣＨ及び／又はＰＳＳＣＨにより情報送信を行う周波数位置に一対一に対応する。
【００７８】
実施例４：測位基準信号の周波数位置がＰＳＣＣＨ及び／又はＰＳＳＣＨにより情報送信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、ＰＳＳＣＨ及び／又はＰＳＳＣＨの特定の時間位置及び／又は周波数位置を占用する第１のユーザーデバイスのみが測位基準信号を送信するように許可してもよい。
【００７９】
第２の送信モジュールの第２の実現形態として、ＰＳＣＣＨ及び／又はＰＳＳＣＨにより送信される情報のコンテンツによって測位基準信号の関連属性を示す。つまり、測位基準信号の関連属性は、ＰＳＣＣＨ及び／又はＰＳＳＣＨにより送信される情報のコンテンツにより明示的に取得される。該第２の実現形態は、複数の好ましい実施例を有し、具体的に、
実施例１：測位基準信号の時間位置は、ＰＳＣＣＨ及び／又はＰＳＳＣＨにより送信される情報のコンテンツによって示す。
【００８０】
実施例２：測位基準信号の周波数位置は、ＰＳＣＣＨ及び／又はＰＳＳＣＨにより送信される情報のコンテンツによって示す。
【００８１】
実施例３：測位基準信号の信号シーケンスは、ＰＳＣＣＨ及び／又はＰＳＳＣＨで送信される情報に含まれる特定のビットであり、又は、ＰＳＣＣＨ及び／又はＰＳＳＣＨで送信される情報に含まれる他の情報により取得される。
【００８２】
測位基準信号の信号シーケンスがＰＳＣＣＨおよび/またはＰＳＳＣＨで送信される情報に含まれる他の情報によって推定される場合、例えば、ＰＳＣＣＨおよび/またはＰＳＳＣＨで送信される情報に含まれるユーザ識別情報によって推定することができる。例えば、送信データブロックにおける合計８個の信号シーケンスを想定し、そのユーザ識別情報を１バイト( ８ビット)の長さとし、その８ビットのユーザ識別情報の値をモジュロ８演算した結果が７であったとすると、ＰＲＳは送信データブロックにおける７番目の信号シーケンスである。あるいは、ＰＳＣＣＨおよび/またはＰＳＳＣＨによって送信された情報に含まれるＤＭＲＳの特徴によって、例えば、ＤＭＲＳのサイクリックシフト( ｃｙｃｌｉｃ ｓｈｉｆｔ )によって、推定されてもよい。
【００８３】
又は、信号シーケンス以外、測位基準信号の他の関連属性は、ＰＳＣＣＨ及び／又はＰＳＳＣＨで送信される情報に含まれる特定のビットであってもよい。
【００８４】
又は、測位基準信号の他の関連属性は、ＰＳＣＣＨ及び／又はＰＳＳＣＨで送信される情報に含まれる他の情報により推定される。例えば、ＰＳＣＣＨ及び／又はＰＳＳＣＨで送信される情報に含まれるユーザー識別情報により推定される。また、例えば、ＰＳＣＣＨ及び／又はＰＳＳＣＨで送信される情報に含まれるＤＭＲＳの特徴により推定され、例えば、ＤＭＲＳのサイクリックシフト（ｃｙｃｌｉｃ ｓｈｉｆｔ）により推定される。
【００８５】
実施例４：ＰＳＣＣＨが測位基準信号を別にスケジューリングし、又は、ＰＳＣＣＨがＰＳＳＣＨをスケジューリングするとともに、測位基準信号に対応する。
【００８６】
実施例５：測位基準信号の周波数位置がＰＳＣＣＨ及び／又はＰＳＳＣＨにより情報送信を行う周波数位置と同じであり、又は、測位基準信号の周波数位置がＰＳＣＣＨ及び／又はＰＳＳＣＨにより情報送信を行う周波数位置に一対一に対応する。
【００８７】
実施例６：測位基準信号の周波数位置がＰＳＣＣＨ及び／又はＰＳＳＣＨにより情報送信を行う周波数位置と異なる。例えば、測位基準信号がＰＳＣＣＨ及び／又はＰＳＳＣＨよりも大きい帯域幅を占用する。又は、ＰＳＳＣＨ及び／又はＰＳＳＣＨの特定の時間位置及び／又は周波数位置を占用する第１のユーザーデバイスのみが測位基準信号を送信するように許可してもよい。
【００８８】
なお、以上の第２の送信モジュールの２つの実現形態が組み合わせて使用されてもよく、例えば、ＰＲＳの時間周波数位置は、ＰＳＣＣＨ及び／又はＰＳＳＣＨにより情報送信を行う時間周波数位置で暗黙的に取得されてもよく、ＰＲＳの信号シーケンスは、ＰＳＣＣＨ及び／又はＰＳＳＣＨにより送信される情報のコンテンツで明示的に取得されてもよく、又は、逆に、ＰＲＳの信号シーケンスは、ＰＳＣＣＨ及び／又はＰＳＳＣＨにより情報送信を行う時間周波数位置で暗黙的に取得され、ＰＲＳの時間周波数位置は、ＰＳＣＣＨ及び／又はＰＳＳＣＨにより送信される情報のコンテンツで明示的に取得される。
【００８９】
第１の実施形態は、この実施形態に対応する方法の実施形態であり、この実施形態は、第１の実施形態と協働して実施することができる。第１の実施形態で述べた関連技術の詳細は、この実施形態でも有効であり、重複を減らすために、ここでは説明を省略する。したがって、この実施形態で述べた従来技術の内容は、第１の実施形態にも適用することができる。
【００９０】
本願の第４の実施形態はユーザーデバイスに関する。
【００９１】
図６は該ユーザーデバイスの構成図であり、具体的に、図６に示すように、該ユーザーデバイスは、第１の受信モジュール、第２の受信モジュール、及び決定モジュールを含み、
第１の受信モジュールは、通信インターフェースで測位基準信号を受信するように構成され、ここで、通信インターフェースは、ユーザーデバイスとユーザーデバイスとの間の通信インターフェースであり、この実施形態において、好ましくは、ＰＣ５インターフェースである。
【００９２】
第２の受信モジュールは、物理サイド制御チャネルＰＳＣＣＨ及び／又は物理サイド共有チャネルＰＳＳＣＨで情報受信を行うように構成される。
【００９３】
決定モジュールは、ＰＳＣＣＨ及び／又はＰＳＳＣＨの情報受信に基づいて測位基準信号の関連属性を決定するように構成される。
【００９４】
測位基準信号の関連属性は、測位基準信号の時間位置、周波数位置、及び信号シーケンスのうちの少なくとも１つを含む。
【００９５】
決定モジュールは、ＰＳＣＣＨ及び／又はＰＳＳＣＨとＰＲＳとの対応関係を決定することで、送信ＵＥ（第１のユーザーデバイス）とＰＲＳとの対応関係を決定する。決定モジュールは、複数の実現形態を有し、例えば、
決定モジュールの第１の実現形態として、ＰＳＣＣＨ及び／又はＰＳＳＣＨにより情報受信を行う時間位置及び／又は周波数位置に基づいて、測位基準信号の関連属性を決定する。つまり、測位基準信号の関連属性は、ＰＳＣＣＨ及び／又はＰＳＳＣＨにより情報受信を行う時間位置及び／又は周波数位置によって、暗黙的に取得される。該第１の実現形態は、複数の好ましい実施例を有し、具体的に、
実施例１：測位基準信号の時間位置がＰＳＣＣＨ及び／又はＰＳＳＣＨにより情報受信を行う時間位置と同じであり、又は、測位基準信号の時間位置がＰＳＣＣＨ及び／又はＰＳＳＣＨにより情報受信を行う時間位置とが一対一対応する。
【００９６】
実施例２：ＰＳＣＣＨが測位基準信号を別にスケジューリングし、又は、ＰＳＣＣＨがＰＳＳＣＨをスケジューリングするとともに、測位基準信号に対応する。
【００９７】
実施例３：測位基準信号の周波数位置がＰＳＣＣＨ及び／又はＰＳＳＣＨにより情報受信を行う周波数位置と同じであり、又は、測位基準信号の周波数位置がＰＳＣＣＨ及び／又はＰＳＳＣＨにより情報受信を行う周波数位置と一対一対応する。
【００９８】
実施例４：測位基準信号の周波数位置がＰＳＣＣＨ及び／又はＰＳＳＣＨにより情報受信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、ＰＳＳＣＨ及び／又はＰＳＳＣＨの特定の時間位置及び／又は周波数位置を占用する第１のユーザーデバイスのみが測位基準信号を送信するように許可してもよい。
【００９９】
決定モジュールの第２の実現形態として、ＰＳＣＣＨ及び／又はＰＳＳＣＨで受信される情報のコンテンツに基づいて測位基準信号の関連属性を決定する。つまり、測位基準信号の関連属性は、ＰＳＣＣＨ及び／又はＰＳＳＣＨで受信される情報のコンテンツにより明示的に取得される。該第２の実現形態は、複数の好ましい実施例を有し、具体的に、
実施例１：測位基準信号の時間位置は、ＰＳＣＣＨ及び／又はＰＳＳＣＨで受信される情報のコンテンツによって示す。
【０１００】
実施例２：測位基準信号の周波数位置は、ＰＳＣＣＨ及び／又はＰＳＳＣＨで受信される情報のコンテンツによって示す。
【０１０１】
実施例３：測位基準信号の信号シーケンスは、ＰＳＣＣＨ及び／又はＰＳＳＣＨで受信される情報に含まれる特定のビットであり、又は、ＰＳＣＣＨ及び／又はＰＳＳＣＨで受信される情報に含まれる他の情報で推定される。
【０１０２】
測位基準信号の信号シーケンスがＰＳＣＣＨおよび/またはＰＳＳＣＨで受信される情報に含まれる他の情報によって推定される場合、例えば、ＰＳＣＣＨおよび/またはＰＳＳＣＨで受信される情報に含まれるユーザ識別情報によって推定することができる。例えば、受信データブロックにおける合計８個の信号シーケンスを想定し、そのユーザ識別情報を１バイト( ８ビット)の長さとし、その８ビットのユーザ識別情報の値をモジュロ８演算した結果が７であったとすると、ＰＲＳは受信データブロックにおける７番目の信号シーケンスである。あるいは、ＰＳＣＣＨおよび/またはＰＳＳＣＨによって受信された情報に含まれるＤＭＲＳの特徴によって、例えば、ＤＭＲＳのサイクリックシフト( ｃｙｃｌｉｃ ｓｈｉｆｔ )によって、推定されてもよい。
【０１０３】
又は、信号シーケンス以外、測位基準信号の他の関連属性は、ＰＳＣＣＨ及び／又はＰＳＳＣＨで受信される情報に含まれる特定のビットであっても良い。
【０１０４】
又は、測位基準信号の他の関連属性は、ＰＳＣＣＨ及び／又はＰＳＳＣＨで受信される情報に含まれる他の情報により推定される。例えば、ＰＳＣＣＨ及び／又はＰＳＳＣＨで受信される情報に含まれるユーザー識別情報により推定される。また、例えば、ＰＳＣＣＨ及び／又はＰＳＳＣＨで受信される情報に含まれるＤＭＲＳの特徴により推定され、例えば、ＤＭＲＳのサイクリックシフト（ｃｙｃｌｉｃ ｓｈｉｆｔ）により推定される。
【０１０５】
実施例４：ＰＳＣＣＨが測位基準信号を別にスケジューリングし、又は、ＰＳＣＣＨがＰＳＳＣＨをスケジューリングするとともに、測位基準信号に対応する。
【０１０６】
実施例５：測位基準信号の周波数位置がＰＳＣＣＨ及び／又はＰＳＳＣＨにより情報受信を行う周波数位置と同じであり、又は、測位基準信号の周波数位置がＰＳＣＣＨ及び／又はＰＳＳＣＨにより情報受信を行う周波数位置と一対一対応する。
【０１０７】
実施例６：測位基準信号の周波数位置がＰＳＣＣＨ及び／又はＰＳＳＣＨにより情報受信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、前記ＰＳＳＣＨ及び／又はＰＳＳＣＨの特定の時間位置及び／又は周波数位置を占用する第１のユーザーデバイスのみが測位基準信号を送信するように許可しても良い。
【０１０８】
なお、上記の決定モジュールの２つの実現形態は、組み合わせて使用されても良く、例えば、ＰＲＳの時間周波数位置は、ＰＳＣＣＨ及び／又はＰＳＳＣＨにより情報受信を行う時間周波数位置によって暗黙的に取得されてもよく、ＰＲＳの信号シーケンスは、ＰＳＣＣＨ及び／又はＰＳＳＣＨで受信される情報のコンテンツによって明示的に取得されてもよく、又は、逆に、ＰＲＳの信号シーケンスは、ＰＳＣＣＨ及び／又はＰＳＳＣＨにより情報受信を行う時間周波数位置によって暗黙的に取得され、ＰＲＳの時間周波数位置は、ＰＳＣＣＨ及び／又はＰＳＳＣＨで受信される情報のコンテンツによって明示的に取得される。
【０１０９】
第２の実施形態は、この実施形態に対応する方法の実施形態であり、この実施形態は、第２の実施形態と協働して実施することができる。第２の実施形態で述べた関連技術の詳細は、この実施形態でも有効であり、重複を減らすために、ここでは説明を省略する。したがって、この実施形態で述べた従来技術の内容は、第２の実施形態にも適用することができる。
【０１１０】
なお、本発明の各機器の実施の形態において述べた各モジュールはいずれも論理的なモジュールであり、物理的には、一つの論理的なモジュールが一つの物理的なモジュールであってもよいし、一つの物理的なモジュールの一部であってもよいし、複数の物理的なモジュールの組み合わせで実現されてもよいし、それら論理的なモジュール自体の物理的な実現形態は最も重要ではなく、それら論理的なモジュールが実現する機能の組み合わせが、本発明が提案する技術的課題を解決する上での鍵となる。また、上記の各装置の実施形態は、発明の新規事項を抽出するために、本発明の課題を解決するための手段にとって、あまり関係のないモジュールを導入するものではなく、他のモジュールが存在しないことを示すものではない。
【０１１１】
なお、上記のユーザーデバイスの実施形態に示された各モジュールの実現機能は、上述したユーザーデバイス間の測位信号の送信方法及び受信方法に関する説明を参照することによって理解され得ることが、当業者には理解されよう。上記ユーザデバイスの実施形態において示した各モジュールの機能は、プロセッサ上で動作するプログラムによって実現してもよいし、具体的な論理回路によって実現してもよい。なお、本発明の実施の形態に係るクライアント装置は、ソフトウェア機能ブロックとして実現され、独立した製品として販売又は使用される場合には、コンピュータ読み取り可能な記憶媒体に記憶されていてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ，Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【０１１２】
従って、本発明の実施例は、プロセッサによって実行されると、本発明の実施例による上記ユーザーデバイス間の測位信号送信方法及び測位信号受信方法を実現するコンピュータ実行可能命令を記憶したコンピュータ記憶媒体を更に提供する。
【０１１３】
本願の出願書類において、第１および第２などの関係用語は、単に１つの実体または動作を別の実体または動作から区別するために使用され、必ずしも、これらの実体または動作の間に、そのような実際の関係または順序が存在することを要求または示唆するものではないことを指摘しておく。さらに、「含む」、またはそれらの任意の他の変形は、非排他的な包含を包含することを意図しており、それにより、要素のリストを含むプロセス、方法、物品、または装置は、それらの要素だけでなく、明示的に列挙されていない他の要素も含み、またはそのようなプロセス、方法、物品、または装置に固有の要素も含む。「１つの要素を含む」という語句によって定義される要素は、これ以上制限されることなく、その要素を含むプロセス、方法、物品、または装置における、さらなる同じ要素の存在を排除するものではない。本願の書類において、ある要素に基づいてある行為が行われるというときは、少なくともその要素に基づいてその行為が行われるという意味であり、その要素のみに基づいてその行為が行われる場合と、その要素と他の要素とに基づいてその行為が行われる場合との両方を含む。複数、複数などの表現は、２個、２種類、および２個以上、２種類以上を含む。
【０１１４】
本出願において言及される全ての文献は、あたかも各文献が個々に参照されているかのように、本出願において参照により引用される。さらに、当業者は、本開示の上記の教示を読んだ後、本開示に対して様々な修正または修正を行うことができ、これらの均等物は、本開示の特許請求の範囲に等しく含まれることを理解されたい。
【図１】
2021516485.tif 000003
【図２】
2021516485.tif 000004
【図３】
2021516485.tif 000005
【図４】
2021516485.tif 000006
【図５】
2021516485.tif 000007
【図６】
2021516485.tif 000008
【手続補正書】
【提出日】令和3年1月6日(2021.1.6)
【手続補正１】
【補正対象書類名】明細書
【補正対象項目名】全文
【補正方法】変更
【補正の内容】
【発明の詳細な説明】
【技術分野】
【０００１】
本願は、無線通信分野に関し、特に、ユーザーデバイスの間の測位信号の送受信技術に関する。
【背景技術】
【０００２】
車両ネットシステムは、従来のＬＴＥシステムにおける基地局を介した通信データの受信または送信方式とは異なり、端末間直接通信方式を採用し、したがって、より高いスペクトル効率およびより低い伝送遅延を有するＬＴＥ−Ｄ２Ｄベースのサイドリンク伝送技術( ＳＬ：Ｓｉｄｅｌｉｎｋ )である。
【０００３】
しかし、車両ネットシステムでは、衛星測位(例えばＧＰＳ、北斗等)の測位精度だけでは車線を区別できず(サブメートル単位の測位が必要)、車両同士で再度相互測位することでＧＰＳ測位の精度を補正するという測位精度の問題が依然として残っている。どのように車両間の相互位置を特定し、すなわち、どのように車両間の測位信号を送信するかが主な問題となる。
【発明の概要】
【０００４】
本願は、ユーザーデバイス間の相互測位により、より高い測位精度を実現するユーザーデバイス及びユーザーデバイス間における測位信号の送受信方法を提供することを目的とする。
【０００５】
本願は、以上の課題を解決するために、ユーザーデバイス間の測位信号の送信方法を提供し、
第１のユーザーデバイスが通信インターフェースで測位基準信号を送信するとともに、物理サイド制御チャネルＰＳＣＣＨ及び／又は物理サイド共有チャネルＰＳＳＣＨで情報送信を行うことを含み、ここで、該ＰＳＣＣＨ及び／又はＰＳＳＣＨの情報送信は、該測位基準信号の関連属性を示す。
【０００６】
本願は、また、ユーザーデバイス間の測位信号の受信方法を提供し、
第２のユーザーデバイスが通信インターフェースで測位基準信号を受信するとともに、第１のユーザーデバイスに対応する物理サイド制御チャネルＰＳＣＣＨ及び／又は物理サイド共有チャネルＰＳＳＣＨで情報受信を行うことと、
該第２のユーザーデバイスが該ＰＳＣＣＨ及び／又はＰＳＳＣＨの情報受信に基づいて該測位基準信号の関連属性を決定することとを含む。
【０００７】
本願は、また、ユーザーデバイスを提供し、第１の送信モジュール及び第２の送信モジュールを含み、
第１の送信モジュールは、通信インターフェースで測位基準信号を送信するように構成され、
第２の送信モジュールは、物理サイド制御チャネルＰＳＣＣＨ及び／又は物理サイド共有チャネルＰＳＳＣＨで情報送信を行うように構成され、ここで、該ＰＳＣＣＨ及び／又はＰＳＳＣＨの情報送信は、該測位基準信号の関連属性を示す。
【０００８】
本願は、また、ユーザーデバイスを提供し、第１の受信モジュール、第２の受信モジュール及び決定モジュールを含み
第１の受信モジュールは、通信インターフェースで測位基準信号を受信するように構成され、
第２の受信モジュールは、物理サイド制御チャネルＰＳＣＣＨ及び／又は物理サイド共有チャネルＰＳＳＣＨで情報受信を行うように構成され、
決定モジュールは、該ＰＳＣＣＨ及び／又はＰＳＳＣＨの情報受信に基づいて該測位基準信号の関連属性を決定するように構成される。
【０００９】
本願は、プロセッサによって実行されたときに、請求項１〜１２のいずれか１項に記載の方法ステップ、又は請求項１３〜２４のいずれか１項に記載の方法ステップを実施するコンピュータ実行可能命令を記憶したコンピュータ記憶媒体をさらに提供する。
【００１０】
本発明の実施形態は、従来技術と比較して、ユーザーデバイスとの間の直接通信方式によりユーザーデバイス間の相互測位を実現し、より高いスペクトル効率及びより低い伝送遅延を有し、より高い測位精度を達成することができる。
【００１１】
本願明細書には多数の技術的特徴が記載されているが、各技術的特徴の中で、本願の全ての可能な技術的特徴の組み合わせ(すなわち、技術的特徴)を羅列しようとすると、明細書が冗長になりすぎる。この問題を回避するために、本願において開示されている各構成要件、後述する各実施の形態及び実施例において開示されている各構成要件、並びに図面に記載されている各構成要件は、何れも本明細書中に記載されているものとみなされるべきであり、技術的に可能な限りにおいて新規なものとして構成されるべきである。例えば、一例では特徴Ａ＋Ｂ＋Ｃを、別の例では特徴Ａ＋Ｂ＋Ｄ＋Ｅを開示しているが、特徴ＣとＤは同じ役割を果たす同等の技術的手段であり、技術的に択一的に使用されば同時採用は不可能であり、特徴Ｅは特徴Ｃと技術的に組み合わせることができれば、Ａ＋Ｂ＋Ｃ＋Ｄのスキームは技術的に実現できないので既に記載されているとみなされず、Ａ＋Ｂ＋Ｃ＋Ｅのスキームは既に記載されているとみなされるべきである。
【図面の簡単な説明】
【００１２】
【図１】５Ｇ通信システムにおけるモード３の模式図である。
【図２】５Ｇ通信システムにおけるモード４の模式図である。
【図３】本願の第１の実施形態におけるユーザーデバイス間の測位信号の送信方法のフローチャートである。
【図４】本願の第２の実施形態におけるユーザーデバイス間の測位信号の受信方法のフローチャートである。
【図５】本願の第３の実施形態におけるユーザーデバイスの構成図である。
【図６】本願の第４の実施形態におけるユーザーデバイスの構成図である。
【発明を実施するための形態】
【００１３】
以下の記述では、本願をより良く理解するために、多くの技術的詳細が提示される。しかしながら、これらの技術的詳細および以下の各実施形態に基づく種々の変更および修正がなくても、本願で特許請求する技術的解決手段が実現され得ることが当業者には理解されよう。
【００１４】
一部の用語の説明：
ＬＴＥ：Ｌｏｎｇ Ｔｅｒｍ Ｅｖａｌｕａｔｉｏｎ、ロングタームエボリューション
Ｖ２Ｖ：Ｖｅｈｉｃｌｅ ｔｏ Ｖｅｈｉｃｌｅ、車両間
Ｖ２Ｘ：Ｖｅｈｉｃｌｅ ｔｏ Ｅｖｅｒｙｔｈｉｎｇ、車両から他の機器
Ｄ２Ｄ：Ｄｅｖｉｃｅ ｔｏ Ｄｅｖｉｃｅ、端末間
ＳＡ：Ｓｃｈｅｄｕｌｉｎｇ Ａｓｓｉｇｎｍｅｎｔ、スケジューリング割り当て
ＤＣＩ：Ｄｏｗｎｌｉｎｋ Ｃｏｎｔｒｏｌ Ｉｎｆｏｒｍａｔｉｏｎ、下りリンク制御情報
ＳＣＩ：Ｓｉｄｅｌｉｎｋ Ｃｏｎｔｒｏｌ Ｉｎｆｏｒｍａｔｉｏｎ、サイドリンク制御情報
ＰＳＣＣＨ：Ｐｈｙｓｉｃａｌ Ｓｉｄｅｌｉｎｋ Ｃｏｎｔｒｏｌ Ｃｈａｎｎｅｌ、物理サイド制御チャネル
ＰＳＳＣＨ：Ｐｈｙｓｉｃａｌ Ｓｉｄｅｌｉｎｋ Ｓｈａｒｅｄ Ｃｈａｎｎｅｌ、物理サイド共有チャネル
ＰＤＣＰ：Ｐａｃｋｅｔ Ｄａｔａ Ｃｏｎｖｅｒｇｅｎｃｅ Ｐｒｏｔｏｃｏｌ、パケットデータコンバージェンスプロトコル
ＲＬＣ：Ｒａｄｉｏ Ｌｉｎｋ Ｃｏｎｔｒｏｌ、無線リンク層制御プロトコル
ＳＬ：Ｓｉｄｅｌｉｎｋ、サイドリンク
ＵＥ：Ｕｓｅｒ Ｅｑｕｉｐｍｅｎｔ、ユーザーデバイス
ＰＲＳ：ＰｏｓｉｔｉｏｎｉｎｇＲｅｆｅｒｅｎｃｅＳｉｇｎａｌ、測位基準信号
ＤＭＲＳ：Ｄｅｍｏｄｕｌａｔｉｏｎ Ｒｅｆｅｒｅｎｃｅ Ｓｉｇｎａｌ、復調参照信号
ｃｙｃｌｉｃ ｓｈｉｆｔ、サイクリックシフト
【００１５】
本願の応用シナリオを以下に簡単に紹介する
車両ネットワーク技術( Ｖ２Ｘ )は、３ ＧＰＰ Ｒｅｌ-１４で標準化されており、モード３とモード４の２つの伝送モードが定義されている
モード３：図１に示すように、車載端末の伝送リソースは、基地局から割り当てられ、車載端末は、基地局から割り当てられたリソースに従ってサイドリンクでデータの送信を行い、基地局は、端末に一回の伝送のリソースを割り当ててもよいし、端末に半静的伝送のリソースを割り当ててもよい。
【００１６】
モード４：図２に示すように、車載端末は、センシング＋予約の伝送方式を採用する。車載端末は、リソースプールにおいて利用可能な伝送リソース集合をセンシングすることにより取得し、車載端末は、この伝送リソース集合からランダムに１つのリソースを抽出してデータの伝送を行う。車載端末は、車載ネットワークシステムにおけるサービスの周期性の特徴を有するから、半静的伝送方式が採用されることが多く、即ち、１つの伝送リソースを選択した後、複数の伝送周期にわたってこのリソースを使用し続けることで、リソースの再選択や衝突の確率を下げる。車載端末は今回伝送した制御情報に次回送信したリソースを予約する旨の情報を載せることで、他の端末は当該車載端末の制御情報を検出することで当該リソースが当該車載端末に予約使用されているか否かを判断することができ、リソースの衝突の低減を図ることができる。
【００１７】
以下、本願の目的、技術案を明確するために、本願の実施の形態について、図面を参照して詳細に説明する。
【００１８】
まず、本発明の開示の実施形態において、言及されるユーザーデバイスは、スマートフォン、タブレット、デスクトップ、ラップトップ、カスタム無線端末、モノのネットワークノード、無線通信モジュールなど、相互間で約定された通信プロトコルに従って無線通信が可能であれば、多種多様なものとすることができる。
【００１９】
本願の技術案は、限定するものではないが、車両ネットワークシステムに適用できる。
【００２０】
本願の第１の実施形態は、ユーザーデバイス間の測位信号の送信方法に関する。図３は該ユーザーデバイス間の測位信号の送信方法のフローチャートである。
【００２１】
具体的に、図３に示すように、該ユーザーデバイス間の測位信号の送信方法は、以下のステップを含む。
【００２２】
ステップ３０１において、第１のユーザーデバイスが通信インターフェースで測位基準信号を送信する。
【００２３】
ステップ３０２において、物理サイド制御チャネルＰＳＣＣＨ及び／又は物理サイド共有チャネルＰＳＳＣＨで情報送信を行い、ここで、ＰＳＣＣＨ及び／又はＰＳＳＣＨの情報送信が測位基準信号の関連属性を示す。
【００２４】
なお、ステップ３０１とステップ３０２とが前後関係がなく、測位基準信号を送信してからＰＳＣＣＨ及び／又はＰＳＳＣＨで情報送信を行ってもよいし、ＰＳＣＣＨ及び／又はＰＳＳＣＨで情報送信を行ってから測位基準信号を送信してもよいし、測位基準信号の送信及びＰＳＣＣＨ及び／又はＰＳＳＣＨの情報送信を同時に行ってもよい。
【００２５】
その後このステップが完了する。
【００２６】
ステップ３０１において、通信インターフェースは、ユーザーデバイスとユーザーデバイスとの間の通信インターフェースであり、この実施形態において、好ましくは、ＰＣ５インターフェースである。
【００２７】
ステップ３０２において、第１のユーザーデバイスが対応するＰＳＣＣＨ及び／又はＰＳＳＣＨを有し、第１のユーザーデバイスに対応するＰＳＣＣＨ及び／又はＰＳＳＣＨで情報送信を行い、該情報送信は、ＰＳＣＣＨ及び／又はＰＳＳＣＨと測位基準信号ＰＲＳとの対応関係を含む。つまり、ステップ３０２において、ＰＳＣＣＨ及び／又はＰＳＳＣＨとＰＲＳとの対応関係を決定することで、送信ＵＥ（第１のユーザーデバイス）とＰＲＳとの対応関係を決定する。
【００２８】
測位基準信号の関連属性は、測位基準信号の時間位置、周波数位置、及び信号シーケンスのうちの少なくとも１つを含む。
【００２９】
ステップ３０２が複数の実現形態を有し、例えば、
ステップ３０２の第１の実現形態として、ＰＳＣＣＨ及び／又はＰＳＳＣＨを情報送信を行う時間位置及び／又は周波数位置によって、測位基準信号の関連属性を示す。つまり、測位基準信号の関連属性は、ＰＳＣＣＨ及び／又はＰＳＳＣＨにより情報送信を行う時間位置及び／又は周波数位置を介して、暗黙的に取得される。この第１の実現形態は、複数の好ましい実施例を有し、具体的に、
実施例１：測位基準信号の時間位置がＰＳＣＣＨ及び／又はＰＳＳＣＨにより情報送信を行う時間位置と同じであり、又は、測位基準信号の時間位置がＰＳＣＣＨ及び／又はＰＳＳＣＨにより情報送信を行う時間位置とが一対一に対応する。
【００３０】
実施例２：ＰＳＣＣＨが測位基準信号を別にスケジューリングし、又は、ＰＳＣＣＨがＰＳＳＣＨをスケジューリングするととも、測位基準信号に対応する。
【００３１】
実施例３：測位基準信号の周波数位置がＰＳＣＣＨ及び／又はＰＳＳＣＨにより情報送信を行う周波数位置と同じであり、又は、測位基準信号の周波数位置がＰＳＣＣＨ及び／又はＰＳＳＣＨにより情報送信を行う周波数位置とが一対一に対応する。
【００３２】
実施例４：測位基準信号の周波数位置がＰＳＣＣＨ及び／又はＰＳＳＣＨにより情報送信を行う周波数位置と異なる。例えば、測位基準信号は、ＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、ＰＳＳＣＨ及び／又はＰＳＳＣＨの特定の時間位置及び／又は周波数位置を占用する第１のユーザーデバイスのみが測位基準信号を送信するように許可する。
【００３３】
ステップ３０２の第２の実現形態として、ＰＳＣＣＨ及び／又はＰＳＳＣＨにより送信される情報のコンテンツによって、測位基準信号の関連属性を示す。つまり、測位基準信号の関連属性は、ＰＳＣＣＨ及び／又はＰＳＳＣＨにより送信される情報のコンテンツにより明示的に取得される。第２の実現形態は、複数の好ましい実施例を有し、具体的に、
実施例１：測位基準信号の時間位置は、ＰＳＣＣＨ及び／又はＰＳＳＣＨにより送信される情報のコンテンツによって示す。
【００３４】
実施例２：測位基準信号の周波数位置は、ＰＳＣＣＨ及び／又はＰＳＳＣＨにより送信される情報のコンテンツによって示す。
【００３５】
実施例３：測位基準信号の信号シーケンスは、ＰＳＣＣＨ及び／又はＰＳＳＣＨで送信される情報に含まれる特定のビットであり、又は、ＰＳＣＣＨ及び／又はＰＳＳＣＨで送信される情報に含まれる他の情報により取得される。
【００３６】
測位基準信号の信号シーケンスがＰＳＣＣＨおよび/またはＰＳＳＣＨで送信される情報に含まれる他の情報によって推定される場合、例えば、ＰＳＣＣＨおよび/またはＰＳＳＣＨで送信される情報に含まれるユーザ識別情報によって推定することができる。例えば、送信データブロックにおける合計８個の信号シーケンスを想定し、そのユーザ識別情報を１バイト( ８ビット)の長さとし、その８ビットのユーザ識別情報の値をモジュロ８演算した結果が７であったとすると、ＰＲＳは送信データブロックにおける７番目の信号シーケンスである。あるいは、ＰＳＣＣＨおよび/またはＰＳＳＣＨによって送信された情報に含まれるＤＭＲＳの特徴によって、例えば、ＤＭＲＳのサイクリックシフト( ｃｙｃｌｉｃ ｓｈｉｆｔ )によって、推定されてもよい。
【００３７】
又は、信号シーケンス以外、測位基準信号の他の関連属性は、ＰＳＣＣＨ及び／又はＰＳＳＣＨで送信される情報に含まれる特定のビットであってもよい。
【００３８】
又は、測位基準信号の他の関連属性は、ＰＳＣＣＨ及び／又はＰＳＳＣＨで送信される情報に含まれる他の情報により推定される。例えば、ＰＳＣＣＨ及び／又はＰＳＳＣＨで送信される情報に含まれるユーザー識別情報により推定される。また、例えば、ＰＳＣＣＨ及び／又はＰＳＳＣＨで送信される情報に含まれるＤＭＲＳの特徴により推定され、例えば、ＤＭＲＳのサイクリックシフト（ｃｙｃｌｉｃ ｓｈｉｆｔ）により推定される。
【００３９】
実施例４：ＰＳＣＣＨが測位基準信号を別にスケジューリングし、又は、ＰＳＣＣＨがＰＳＳＣＨをスケジューリングするとともに、測位基準信号に対応する。
【００４０】
実施例５：測位基準信号の周波数位置がＰＳＣＣＨ及び／又はＰＳＳＣＨにより情報送信を行う周波数位置と同じであり、又は、測位基準信号の周波数位置がＰＳＣＣＨ及び／又はＰＳＳＣＨにより情報送信を行う周波数位置に一対一に対応する。
【００４１】
実施例６：測位基準信号の周波数位置がＰＳＣＣＨ及び／又はＰＳＳＣＨにより情報送信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、ＰＳＳＣＨ及び／又はＰＳＳＣＨの特定の時間位置及び／又は周波数位置を占用する第１のユーザーデバイスのみが測位基準信号を送信するように許可してもよい。
【００４２】
なお、以上のステップ３０２の２つの実現形態が組み合わせて使用されてもよく、例えば、ＰＲＳの時間周波数位置は、ＰＳＣＣＨ及び／又はＰＳＳＣＨにより情報送信を行う時間周波数位置で暗黙的に取得されてもよく、ＰＲＳの信号シーケンスは、ＰＳＣＣＨ及び／又はＰＳＳＣＨにより送信される情報のコンテンツで明示的に取得されてもよく、又は、逆に、ＰＲＳの信号シーケンスは、ＰＳＣＣＨ及び／又はＰＳＳＣＨにより情報送信を行う時間周波数位置で暗黙的に取得され、ＰＲＳの時間周波数位置は、ＰＳＣＣＨ及び／又はＰＳＳＣＨにより送信される情報のコンテンツで明示的に取得される。
【００４３】
このように、受信ユーザーデバイス（第２のユーザーデバイス）は、ＰＳＣＣＨ及び／又はＰＳＳＣＨでＰＲＳの時間周波数位置、信号シーケンス、及び送信ＵＥ（送信ユーザーデバイス、即ち第１のユーザーデバイス）とＰＲＳとの対応関係を把握して、ユーザーデバイスの間での測位信号を送信を実現し、ユーザーデバイスの間で相互測位を行う。
【００４４】
本願第２の実施形態は、ユーザーデバイス間の測位信号の受信方法に関する。
【００４５】
第１の実施形態は、ユーザーデバイス間の測位信号の送信方法を示し、第２の実施形態は、ユーザーデバイス間の測位信号の受信方法であり、両者は対応するプロセスであり、技術的思想は一致し、関連する詳細は相互利用可能である。図４は、該ユーザーデバイス間の測位信号の受信方法のフローチャートである。
【００４６】
具体的に、図４に示すように、該ユーザーデバイス間の測位信号の受信方法は、以下のステップを含む。
【００４７】
ステップ４０１において、第２のユーザーデバイスが通信インターフェースで測位基準信号を受信する。
【００４８】
ステップ４０２において、第１のユーザーデバイスに対応する物理サイド制御チャネルＰＳＣＣＨ及び／又は物理サイド共有チャネルＰＳＳＣＨで情報受信を行う。
【００４９】
なお、ステップ４０１とステップ４０２とが前後関係がなく、測位基準信号を送信してからＰＳＣＣＨ及び／又はＰＳＳＣＨで情報送信を行ってもよいし、ＰＳＣＣＨ及び／又はＰＳＳＣＨで情報送信を行ってから測位基準信号を送信してもよいし、測位基準信号の送信及びＰＳＣＣＨ及び／又はＰＳＳＣＨの情報送信を同時に行ってもよい。
【００５０】
ステップ４０３において、第２のユーザーデバイスは、ＰＳＣＣＨ及び／又はＰＳＳＣＨの情報受信に基づいて測位基準信号の関連属性を決定する。
【００５１】
その後このステップが完了する。
【００５２】
ステップ４０１において、通信インターフェースは、ユーザーデバイスとユーザーデバイスとの間の通信インターフェースであり、この実施形態において、好ましくは、ＰＣ５インターフェースである。
【００５３】
ステップ４０２において、情報受信は、ＰＳＣＣＨ及び／又はＰＳＳＣＨと測位基準信号ＰＲＳとの対応関係を含む。ステップ４０３において、ＰＳＣＣＨ及び／又はＰＳＳＣＨとＰＲＳ的との対応関係を決定することで、送信ＵＥ（第１のユーザーデバイス）とＰＲＳとの対応関係を決定する。
【００５４】
なお、本願の第１の実施形態におけるＰＳＣＣＨ及び／又はＰＳＳＣＨにより情報送信を行う時間位置、周波数位置、送信される情報のコンテンツは、この実施形態におけるＰＳＣＣＨ及び／又はＰＳＳＣＨにより情報受信を行う時間位置、周波数位置、受信される情報のコンテンツとは、同じである。
【００５５】
測位基準信号の関連属性は、測位基準信号の時間位置、周波数位置、及び信号シーケンスのうちの少なくとも１つを含む。
【００５６】
ステップ４０３が複数の実現形態を有し、例えば、
ステップ４０３の第１の実現形態として、ＰＳＣＣＨ及び／又はＰＳＳＣＨにより情報受信を行う時間位置及び／又は周波数位置に基づいて、測位基準信号の関連属性を決定する。つまり、測位基準信号の関連属性は、ＰＳＣＣＨ及び／又はＰＳＳＣＨにより情報受信を行う時間位置及び／又は周波数位置によって、暗黙的に取得される。該第１の実現形態は、複数の好ましい実施例を有し、具体的に、
実施例１：測位基準信号の時間位置がＰＳＣＣＨ及び／又はＰＳＳＣＨにより情報受信を行う時間位置と同じであり、又は、測位基準信号の時間位置がＰＳＣＣＨ及び／又はＰＳＳＣＨにより情報受信を行う時間位置とが一対一対応する。
【００５７】
実施例２：ＰＳＣＣＨが測位基準信号を別にスケジューリングし、又は、ＰＳＣＣＨがＰＳＳＣＨをスケジューリングするとともに、測位基準信号に対応する。
【００５８】
実施例３：測位基準信号の周波数位置がＰＳＣＣＨ及び／又はＰＳＳＣＨにより情報受信を行う周波数位置と同じであり、又は、測位基準信号の周波数位置がＰＳＣＣＨ及び／又はＰＳＳＣＨにより情報受信を行う周波数位置と一対一対応する。
【００５９】
実施例４：測位基準信号の周波数位置がＰＳＣＣＨ及び／又はＰＳＳＣＨにより情報受信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、ＰＳＳＣＨ及び／又はＰＳＳＣＨの特定の時間位置及び／又は周波数位置を占用する第１のユーザーデバイスのみが測位基準信号を送信するように許可してもよい。
【００６０】
ステップ４０３の第２の実現形態として、ＰＳＣＣＨ及び／又はＰＳＳＣＨで受信される情報のコンテンツに基づいて測位基準信号の関連属性を決定する。つまり、測位基準信号の関連属性は、ＰＳＣＣＨ及び／又はＰＳＳＣＨで受信される情報のコンテンツにより明示的に取得される。該第２の実現形態は、複数の好ましい実施例を有し、具体的に、
実施例１：測位基準信号の時間位置は、ＰＳＣＣＨ及び／又はＰＳＳＣＨで受信される情報のコンテンツによって示す。
【００６１】
実施例２：測位基準信号の周波数位置は、ＰＳＣＣＨ及び／又はＰＳＳＣＨで受信される情報のコンテンツによって示す。
【００６２】
実施例３：測位基準信号の信号シーケンスは、ＰＳＣＣＨ及び／又はＰＳＳＣＨで受信される情報に含まれる特定のビットであり、又は、ＰＳＣＣＨ及び／又はＰＳＳＣＨで受信される情報に含まれる他の情報で推定される。
【００６３】
測位基準信号の信号シーケンスがＰＳＣＣＨおよび/またはＰＳＳＣＨで受信される情報に含まれる他の情報によって推定される場合、例えば、ＰＳＣＣＨおよび/またはＰＳＳＣＨで受信される情報に含まれるユーザ識別情報によって推定することができる。例えば、受信データブロックにおける合計８個の信号シーケンスを想定し、そのユーザ識別情報を１バイト( ８ビット)の長さとし、その８ビットのユーザ識別情報の値をモジュロ８演算した結果が７であったとすると、ＰＲＳは受信データブロックにおける７番目の信号シーケンスである。あるいは、ＰＳＣＣＨおよび/またはＰＳＳＣＨによって受信された情報に含まれるＤＭＲＳの特徴によって、例えば、ＤＭＲＳのサイクリックシフト( ｃｙｃｌｉｃ ｓｈｉｆｔ )によって、推定されてもよい。
【００６４】
又は、信号シーケンス以外、測位基準信号の他の関連属性は、ＰＳＣＣＨ及び／又はＰＳＳＣＨで受信される情報に含まれる特定のビットであってもよい。
【００６５】
又は、測位基準信号の他の関連属性は、ＰＳＣＣＨ及び／又はＰＳＳＣＨで受信される情報に含まれる他の情報により推定される。例えば、ＰＳＣＣＨ及び／又はＰＳＳＣＨで受信される情報に含まれるユーザー識別情報により推定される。また、例えば、ＰＳＣＣＨ及び／又はＰＳＳＣＨで受信される情報に含まれるＤＭＲＳの特徴により推定され、例えば、ＤＭＲＳのサイクリックシフト（ｃｙｃｌｉｃ ｓｈｉｆｔ）により推定される。
【００６６】
実施例４：ＰＳＣＣＨが測位基準信号を別にスケジューリングし、又は、ＰＳＣＣＨがＰＳＳＣＨをスケジューリングするとともに、測位基準信号に対応する。
【００６７】
実施例５：測位基準信号の周波数位置がＰＳＣＣＨ及び／又はＰＳＳＣＨにより情報受信を行う周波数位置と同じであり、又は、測位基準信号の周波数位置がＰＳＣＣＨ及び／又はＰＳＳＣＨにより情報受信を行う周波数位置と一対一対応する。
【００６８】
実施例６：測位基準信号の周波数位置がＰＳＣＣＨ及び／又はＰＳＳＣＨにより情報受信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、前記ＰＳＳＣＨ及び／又はＰＳＳＣＨの特定の時間位置及び／又は周波数位置を占用する第１のユーザーデバイスのみが測位基準信号を送信するように許可しても良い。
【００６９】
なお、上記のステップ４０３の２つの実現形態が組み合わせて使用されてもよく、例えば、ＰＲＳの時間周波数位置は、ＰＳＣＣＨ及び／又はＰＳＳＣＨにより情報受信を行う時間周波数位置によって暗黙的に取得されてもよく、ＰＲＳの信号シーケンスは、ＰＳＣＣＨ及び／又はＰＳＳＣＨで受信される情報のコンテンツによって明示的に取得されてもよく、又は、逆に、ＰＲＳの信号シーケンスは、ＰＳＣＣＨ及び／又はＰＳＳＣＨにより情報受信を行う時間周波数位置によって暗黙的に取得され、ＰＲＳの時間周波数位置は、ＰＳＣＣＨ及び／又はＰＳＳＣＨで受信される情報のコンテンツによって明示的に取得される。
【００７０】
このように、受信ユーザーデバイス（第２のユーザーデバイス）は、ＰＳＣＣＨ及び／又はＰＳＳＣＨでＰＲＳの時間周波数位置、信号シーケンス、及び送信ＵＥ（送信ユーザーデバイス、即ち第１のユーザーデバイス）とＰＲＳとの対応関係を把握して、ユーザーデバイスの間での測位信号を送信を実現し、ユーザーデバイスの間で相互測位を行う。
【００７１】
本願の第３の実施形態はユーザーデバイスに関する。
【００７２】
図５は該ユーザーデバイスの構成図であり、具体的に、図５に示すように、該ユーザーデバイスは、第１の送信モジュール及び第２の送信モジュールを含み、
第１の送信モジュールは、通信インターフェースで測位基準信号を送信するように構成され、ここで、通信インターフェースは、ユーザーデバイスとユーザーデバイスとの間の通信インターフェースであり、この実施形態において、好ましくは、ＰＣ５インターフェースである。
【００７３】
第２の送信モジュールは、物理サイド制御チャネルＰＳＣＣＨ及び／又は物理サイド共有チャネルＰＳＳＣＨで情報送信を行うように構成され、ここで、ＰＳＣＣＨ及び／又はＰＳＳＣＨの情報送信は、測位基準信号の関連属性を示す。
【００７４】
測位基準信号の関連属性は、測位基準信号の時間位置、周波数位置、及び信号シーケンスのうちの少なくとも１つを含む。
【００７５】
第２の送信モジュールは、ＰＳＣＣＨ及び／又はＰＳＳＣＨとＰＲＳとの対応関係を決定することで、送信ＵＥとＰＲＳとの対応関係を決定する。第２の送信モジュールは、複数の実現形態を有し、例えば、
第２の送信モジュールの第１の実現形態として、ＰＳＣＣＨ及び／又はＰＳＳＣＨにより情報送信を行う時間位置及び／又は周波数位置によって測位基準信号の関連属性を示す。つまり、測位基準信号の関連属性は、ＰＳＣＣＨ及び／又はＰＳＳＣＨにより情報送信を行う時間位置及び／又は周波数位置によって暗黙的に取得される。該第１の実現形態として、複数の好ましい実施例を有し、具体的に、
実施例１：測位基準信号の時間位置がＰＳＣＣＨ及び／又はＰＳＳＣＨにより情報送信を行う時間位置と同じであり、又は、測位基準信号の時間位置がＰＳＣＣＨ及び／又はＰＳＳＣＨにより情報送信を行う時間位置に一対一対応する。
【００７６】
実施例２：ＰＳＣＣＨが測位基準信号を別にスケジューリングし、又は、ＰＳＣＣＨがＰＳＳＣＨをスケジューリングするとともに、測位基準信号に対応する。
【００７７】
実施例３：測位基準信号の周波数位置がＰＳＣＣＨ及び／又はＰＳＳＣＨにより情報送信を行う周波数位置と同じであり、又は、測位基準信号の周波数位置がＰＳＣＣＨ及び／又はＰＳＳＣＨにより情報送信を行う周波数位置に一対一に対応する。
【００７８】
実施例４：測位基準信号の周波数位置がＰＳＣＣＨ及び／又はＰＳＳＣＨにより情報送信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、ＰＳＳＣＨ及び／又はＰＳＳＣＨの特定の時間位置及び／又は周波数位置を占用する第１のユーザーデバイスのみが測位基準信号を送信するように許可してもよい。
【００７９】
第２の送信モジュールの第２の実現形態として、ＰＳＣＣＨ及び／又はＰＳＳＣＨにより送信される情報のコンテンツによって測位基準信号の関連属性を示す。つまり、測位基準信号の関連属性は、ＰＳＣＣＨ及び／又はＰＳＳＣＨにより送信される情報のコンテンツにより明示的に取得される。該第２の実現形態は、複数の好ましい実施例を有し、具体的に、
実施例１：測位基準信号の時間位置は、ＰＳＣＣＨ及び／又はＰＳＳＣＨにより送信される情報のコンテンツによって示す。
【００８０】
実施例２：測位基準信号の周波数位置は、ＰＳＣＣＨ及び／又はＰＳＳＣＨにより送信される情報のコンテンツによって示す。
【００８１】
実施例３：測位基準信号の信号シーケンスは、ＰＳＣＣＨ及び／又はＰＳＳＣＨで送信される情報に含まれる特定のビットであり、又は、ＰＳＣＣＨ及び／又はＰＳＳＣＨで送信される情報に含まれる他の情報により取得される。
【００８２】
測位基準信号の信号シーケンスがＰＳＣＣＨおよび/またはＰＳＳＣＨで送信される情報に含まれる他の情報によって推定される場合、例えば、ＰＳＣＣＨおよび/またはＰＳＳＣＨで送信される情報に含まれるユーザ識別情報によって推定することができる。例えば、送信データブロックにおける合計８個の信号シーケンスを想定し、そのユーザ識別情報を１バイト( ８ビット)の長さとし、その８ビットのユーザ識別情報の値をモジュロ８演算した結果が７であったとすると、ＰＲＳは送信データブロックにおける７番目の信号シーケンスである。あるいは、ＰＳＣＣＨおよび/またはＰＳＳＣＨによって送信された情報に含まれるＤＭＲＳの特徴によって、例えば、ＤＭＲＳのサイクリックシフト( ｃｙｃｌｉｃ ｓｈｉｆｔ )によって、推定されてもよい。
【００８３】
又は、信号シーケンス以外、測位基準信号の他の関連属性は、ＰＳＣＣＨ及び／又はＰＳＳＣＨで送信される情報に含まれる特定のビットであってもよい。
【００８４】
又は、測位基準信号の他の関連属性は、ＰＳＣＣＨ及び／又はＰＳＳＣＨで送信される情報に含まれる他の情報により推定される。例えば、ＰＳＣＣＨ及び／又はＰＳＳＣＨで送信される情報に含まれるユーザー識別情報により推定される。また、例えば、ＰＳＣＣＨ及び／又はＰＳＳＣＨで送信される情報に含まれるＤＭＲＳの特徴により推定され、例えば、ＤＭＲＳのサイクリックシフト（ｃｙｃｌｉｃ ｓｈｉｆｔ）により推定される。
【００８５】
実施例４：ＰＳＣＣＨが測位基準信号を別にスケジューリングし、又は、ＰＳＣＣＨがＰＳＳＣＨをスケジューリングするとともに、測位基準信号に対応する。
【００８６】
実施例５：測位基準信号の周波数位置がＰＳＣＣＨ及び／又はＰＳＳＣＨにより情報送信を行う周波数位置と同じであり、又は、測位基準信号の周波数位置がＰＳＣＣＨ及び／又はＰＳＳＣＨにより情報送信を行う周波数位置に一対一に対応する。
【００８７】
実施例６：測位基準信号の周波数位置がＰＳＣＣＨ及び／又はＰＳＳＣＨにより情報送信を行う周波数位置と異なる。例えば、測位基準信号がＰＳＣＣＨ及び／又はＰＳＳＣＨよりも大きい帯域幅を占用する。又は、ＰＳＳＣＨ及び／又はＰＳＳＣＨの特定の時間位置及び／又は周波数位置を占用する第１のユーザーデバイスのみが測位基準信号を送信するように許可してもよい。
【００８８】
なお、以上の第２の送信モジュールの２つの実現形態が組み合わせて使用されてもよく、例えば、ＰＲＳの時間周波数位置は、ＰＳＣＣＨ及び／又はＰＳＳＣＨにより情報送信を行う時間周波数位置で暗黙的に取得されてもよく、ＰＲＳの信号シーケンスは、ＰＳＣＣＨ及び／又はＰＳＳＣＨにより送信される情報のコンテンツで明示的に取得されてもよく、又は、逆に、ＰＲＳの信号シーケンスは、ＰＳＣＣＨ及び／又はＰＳＳＣＨにより情報送信を行う時間周波数位置で暗黙的に取得され、ＰＲＳの時間周波数位置は、ＰＳＣＣＨ及び／又はＰＳＳＣＨにより送信される情報のコンテンツで明示的に取得される。
【００８９】
第１の実施形態は、この実施形態に対応する方法の実施形態であり、この実施形態は、第１の実施形態と協働して実施することができる。第１の実施形態で述べた関連技術の詳細は、この実施形態でも有効であり、重複を減らすために、ここでは説明を省略する。したがって、この実施形態で述べた従来技術の内容は、第１の実施形態にも適用することができる。
【００９０】
本願の第４の実施形態はユーザーデバイスに関する。
【００９１】
図６は該ユーザーデバイスの構成図であり、具体的に、図６に示すように、該ユーザーデバイスは、第１の受信モジュール、第２の受信モジュール、及び決定モジュールを含み、
第１の受信モジュールは、通信インターフェースで測位基準信号を受信するように構成され、ここで、通信インターフェースは、ユーザーデバイスとユーザーデバイスとの間の通信インターフェースであり、この実施形態において、好ましくは、ＰＣ５インターフェースである。
【００９２】
第２の受信モジュールは、物理サイド制御チャネルＰＳＣＣＨ及び／又は物理サイド共有チャネルＰＳＳＣＨで情報受信を行うように構成される。
【００９３】
決定モジュールは、ＰＳＣＣＨ及び／又はＰＳＳＣＨの情報受信に基づいて測位基準信号の関連属性を決定するように構成される。
【００９４】
測位基準信号の関連属性は、測位基準信号の時間位置、周波数位置、及び信号シーケンスのうちの少なくとも１つを含む。
【００９５】
決定モジュールは、ＰＳＣＣＨ及び／又はＰＳＳＣＨとＰＲＳとの対応関係を決定することで、送信ＵＥ（第１のユーザーデバイス）とＰＲＳとの対応関係を決定する。決定モジュールは、複数の実現形態を有し、例えば、
決定モジュールの第１の実現形態として、ＰＳＣＣＨ及び／又はＰＳＳＣＨにより情報受信を行う時間位置及び／又は周波数位置に基づいて、測位基準信号の関連属性を決定する。つまり、測位基準信号の関連属性は、ＰＳＣＣＨ及び／又はＰＳＳＣＨにより情報受信を行う時間位置及び／又は周波数位置によって、暗黙的に取得される。該第１の実現形態は、複数の好ましい実施例を有し、具体的に、
実施例１：測位基準信号の時間位置がＰＳＣＣＨ及び／又はＰＳＳＣＨにより情報受信を行う時間位置と同じであり、又は、測位基準信号の時間位置がＰＳＣＣＨ及び／又はＰＳＳＣＨにより情報受信を行う時間位置とが一対一対応する。
【００９６】
実施例２：ＰＳＣＣＨが測位基準信号を別にスケジューリングし、又は、ＰＳＣＣＨがＰＳＳＣＨをスケジューリングするとともに、測位基準信号に対応する。
【００９７】
実施例３：測位基準信号の周波数位置がＰＳＣＣＨ及び／又はＰＳＳＣＨにより情報受信を行う周波数位置と同じであり、又は、測位基準信号の周波数位置がＰＳＣＣＨ及び／又はＰＳＳＣＨにより情報受信を行う周波数位置と一対一対応する。
【００９８】
実施例４：測位基準信号の周波数位置がＰＳＣＣＨ及び／又はＰＳＳＣＨにより情報受信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、ＰＳＳＣＨ及び／又はＰＳＳＣＨの特定の時間位置及び／又は周波数位置を占用する第１のユーザーデバイスのみが測位基準信号を送信するように許可してもよい。
【００９９】
決定モジュールの第２の実現形態として、ＰＳＣＣＨ及び／又はＰＳＳＣＨで受信される情報のコンテンツに基づいて測位基準信号の関連属性を決定する。つまり、測位基準信号の関連属性は、ＰＳＣＣＨ及び／又はＰＳＳＣＨで受信される情報のコンテンツにより明示的に取得される。該第２の実現形態は、複数の好ましい実施例を有し、具体的に、
実施例１：測位基準信号の時間位置は、ＰＳＣＣＨ及び／又はＰＳＳＣＨで受信される情報のコンテンツによって示す。
【０１００】
実施例２：測位基準信号の周波数位置は、ＰＳＣＣＨ及び／又はＰＳＳＣＨで受信される情報のコンテンツによって示す。
【０１０１】
実施例３：測位基準信号の信号シーケンスは、ＰＳＣＣＨ及び／又はＰＳＳＣＨで受信される情報に含まれる特定のビットであり、又は、ＰＳＣＣＨ及び／又はＰＳＳＣＨで受信される情報に含まれる他の情報で推定される。
【０１０２】
測位基準信号の信号シーケンスがＰＳＣＣＨおよび/またはＰＳＳＣＨで受信される情報に含まれる他の情報によって推定される場合、例えば、ＰＳＣＣＨおよび/またはＰＳＳＣＨで受信される情報に含まれるユーザ識別情報によって推定することができる。例えば、受信データブロックにおける合計８個の信号シーケンスを想定し、そのユーザ識別情報を１バイト( ８ビット)の長さとし、その８ビットのユーザ識別情報の値をモジュロ８演算した結果が７であったとすると、ＰＲＳは受信データブロックにおける７番目の信号シーケンスである。あるいは、ＰＳＣＣＨおよび/またはＰＳＳＣＨによって受信された情報に含まれるＤＭＲＳの特徴によって、例えば、ＤＭＲＳのサイクリックシフト( ｃｙｃｌｉｃ ｓｈｉｆｔ )によって、推定されてもよい。
【０１０３】
又は、信号シーケンス以外、測位基準信号の他の関連属性は、ＰＳＣＣＨ及び／又はＰＳＳＣＨで受信される情報に含まれる特定のビットであっても良い。
【０１０４】
又は、測位基準信号の他の関連属性は、ＰＳＣＣＨ及び／又はＰＳＳＣＨで受信される情報に含まれる他の情報により推定される。例えば、ＰＳＣＣＨ及び／又はＰＳＳＣＨで受信される情報に含まれるユーザー識別情報により推定される。また、例えば、ＰＳＣＣＨ及び／又はＰＳＳＣＨで受信される情報に含まれるＤＭＲＳの特徴により推定され、例えば、ＤＭＲＳのサイクリックシフト（ｃｙｃｌｉｃ ｓｈｉｆｔ）により推定される。
【０１０５】
実施例４：ＰＳＣＣＨが測位基準信号を別にスケジューリングし、又は、ＰＳＣＣＨがＰＳＳＣＨをスケジューリングするとともに、測位基準信号に対応する。
【０１０６】
実施例５：測位基準信号の周波数位置がＰＳＣＣＨ及び／又はＰＳＳＣＨにより情報受信を行う周波数位置と同じであり、又は、測位基準信号の周波数位置がＰＳＣＣＨ及び／又はＰＳＳＣＨにより情報受信を行う周波数位置と一対一対応する。
【０１０７】
実施例６：測位基準信号の周波数位置がＰＳＣＣＨ及び／又はＰＳＳＣＨにより情報受信を行う周波数位置と異なる。例えば、測位基準信号がＰＳＣＣＨ及び／又はＰＳＳＣＨよりも大きい帯域幅を占用する。又は、測位基準信号がＰＳＣＣＨ及び／又はＰＳＳＣＨの全ての帯域幅を占用し、この場合、前記ＰＳＳＣＨ及び／又はＰＳＳＣＨの特定の時間位置及び／又は周波数位置を占用する第１のユーザーデバイスのみが測位基準信号を送信するように許可しても良い。
【０１０８】
なお、上記の決定モジュールの２つの実現形態は、組み合わせて使用されても良く、例えば、ＰＲＳの時間周波数位置は、ＰＳＣＣＨ及び／又はＰＳＳＣＨにより情報受信を行う時間周波数位置によって暗黙的に取得されてもよく、ＰＲＳの信号シーケンスは、ＰＳＣＣＨ及び／又はＰＳＳＣＨで受信される情報のコンテンツによって明示的に取得されてもよく、又は、逆に、ＰＲＳの信号シーケンスは、ＰＳＣＣＨ及び／又はＰＳＳＣＨにより情報受信を行う時間周波数位置によって暗黙的に取得され、ＰＲＳの時間周波数位置は、ＰＳＣＣＨ及び／又はＰＳＳＣＨで受信される情報のコンテンツによって明示的に取得される。
【０１０９】
第２の実施形態は、この実施形態に対応する方法の実施形態であり、この実施形態は、第２の実施形態と協働して実施することができる。第２の実施形態で述べた関連技術の詳細は、この実施形態でも有効であり、重複を減らすために、ここでは説明を省略する。したがって、この実施形態で述べた従来技術の内容は、第２の実施形態にも適用することができる。
【０１１０】
なお、本発明の各機器の実施の形態において述べた各モジュールはいずれも論理的なモジュールであり、物理的には、一つの論理的なモジュールが一つの物理的なモジュールであってもよいし、一つの物理的なモジュールの一部であってもよいし、複数の物理的なモジュールの組み合わせで実現されてもよいし、それら論理的なモジュール自体の物理的な実現形態は最も重要ではなく、それら論理的なモジュールが実現する機能の組み合わせが、本発明が提案する技術的課題を解決する上での鍵となる。また、上記の各装置の実施形態は、発明の新規事項を抽出するために、本発明の課題を解決するための手段にとって、あまり関係のないモジュールを導入するものではなく、他のモジュールが存在しないことを示すものではない。
【０１１１】
なお、上記のユーザーデバイスの実施形態に示された各モジュールの実現機能は、上述したユーザーデバイス間の測位信号の送信方法及び受信方法に関する説明を参照することによって理解され得ることが、当業者には理解されよう。上記ユーザデバイスの実施形態において示した各モジュールの機能は、プロセッサ上で動作するプログラムによって実現してもよいし、具体的な論理回路によって実現してもよい。なお、本発明の実施の形態に係るクライアント装置は、ソフトウェア機能ブロックとして実現され、独立した製品として販売又は使用される場合には、コンピュータ読み取り可能な記憶媒体に記憶されていてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ，Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【０１１２】
従って、本発明の実施例は、プロセッサによって実行されると、本発明の実施例による上記ユーザーデバイス間の測位信号送信方法及び測位信号受信方法を実現するコンピュータ実行可能命令を記憶したコンピュータ記憶媒体を更に提供する。
【０１１３】
本願の出願書類において、第１および第２などの関係用語は、単に１つの実体または動作を別の実体または動作から区別するために使用され、必ずしも、これらの実体または動作の間に、そのような実際の関係または順序が存在することを要求または示唆するものではないことを指摘しておく。さらに、「含む」、またはそれらの任意の他の変形は、非排他的な包含を包含することを意図しており、それにより、要素のリストを含むプロセス、方法、物品、または装置は、それらの要素だけでなく、明示的に列挙されていない他の要素も含み、またはそのようなプロセス、方法、物品、または装置に固有の要素も含む。「１つの要素を含む」という語句によって定義される要素は、これ以上制限されることなく、その要素を含むプロセス、方法、物品、または装置における、さらなる同じ要素の存在を排除するものではない。本願の書類において、ある要素に基づいてある行為が行われるというときは、少なくともその要素に基づいてその行為が行われるという意味であり、その要素のみに基づいてその行為が行われる場合と、その要素と他の要素とに基づいてその行為が行われる場合との両方を含む。複数、複数などの表現は、２個、２種類、および２個以上、２種類以上を含む。
【０１１４】
本出願において言及される全ての文献は、あたかも各文献が個々に参照されているかのように、本出願において参照により引用される。さらに、当業者は、本開示の上記の教示を読んだ後、本開示に対して様々な修正または修正を行うことができ、これらの均等物は、本開示の特許請求の範囲に等しく含まれることを理解されたい。
【手続補正２】
【補正対象書類名】特許請求の範囲
【補正対象項目名】全文
【補正方法】変更
【補正の内容】
【特許請求の範囲】
【請求項１】
第１のユーザーデバイスが通信インターフェースで測位基準信号を送信するとともに、物理サイド制御チャネルＰＳＣＣＨ及び／又は物理サイド共有チャネルＰＳＳＣＨで情報送信を行うことを含み、
前記ＰＳＣＣＨ及び／又はＰＳＳＣＨでの情報送信は、前記測位基準信号の関連属性を示す
ことを特徴とするユーザーデバイス間の測位信号の送信方法。
【請求項２】
前記情報送信が前記測位基準信号の関連属性を示すことは、前記ＰＳＣＣＨ及び／又はＰＳＳＣＨにより情報送信を行う時間位置及び／又は周波数位置によって前記測位基準信号の関連属性を示すことを含む
ことを特徴とする請求項１に記載のユーザーデバイス間の測位信号の送信方法。
【請求項３】
前記測位基準信号の関連属性は、前記測位基準信号の時間位置、周波数位置、及び信号シーケンスのうちの少なくとも１つを含む
ことを特徴とする請求項２に記載のユーザーデバイス間の測位信号の送信方法。
【請求項４】
前記ＰＳＣＣＨ及び／又はＰＳＳＣＨにより情報送信を行う時間位置及び／又は周波数位置によって前記測位基準信号の関連属性を示すことは、前記測位基準信号の時間位置が前記ＰＳＣＣＨ及び／又はＰＳＳＣＨにより情報送信を行う時間位置と同じであり、
又は、
前記測位基準信号の周波数位置が前記ＰＳＣＣＨ及び／又はＰＳＳＣＨにより情報送信を行う周波数位置と同じであり、
又は、
前記ＰＳＳＣＨ及び／又はＰＳＳＣＨの特定の時間位置及び／又は周波数位置を占用する前記第１のユーザーデバイスのみが前記測位基準信号を送信するように許可することを含む
ことを特徴とする請求項２又は３に記載のユーザーデバイス間の測位信号の送信方法。
【請求項５】
前記情報送信が前記測位基準信号の関連属性を示すことは、前記ＰＳＣＣＨ及び／又はＰＳＳＣＨで送信される情報のコンテンツによって前記測位基準信号の関連属性を示すことを含む
ことを特徴とする請求項１に記載のユーザーデバイス間の測位信号の送信方法。
【請求項６】
前記測位基準信号の関連属性は、前記測位基準信号の時間位置、周波数位置、及び信号シーケンスのうちの少なくとも１つを含む
ことを特徴とする請求項５に記載のユーザーデバイス間の測位信号の送信方法。
【請求項７】
前記ＰＳＣＣＨ及び／又はＰＳＳＣＨで送信される情報のコンテンツによって前記測位基準信号の関連属性を示すことは、前記ＰＳＣＣＨ及び／又はＰＳＳＣＨで送信される情報に含まれるユーザー識別情報によって前記測位基準信号の関連属性を示すこと、
又は、
前記ＰＳＣＣＨ及び／又はＰＳＳＣＨで送信される情報に含まれるＤＭＲＳの特徴によって前記測位基準信号の関連属性を示すことを含む
ことを特徴とする請求項５又は６に記載のユーザーデバイス間の測位信号の送信方法。
【請求項８】
前記ＰＳＣＣＨ及び／又はＰＳＳＣＨで送信される情報に含まれるＤＭＲＳの特徴によって前記測位基準信号の関連属性を示すことは、前記ＰＳＣＣＨ及び／又はＰＳＳＣＨで送信される情報に含まれるＤＭＲＳのサイクリックシフトによって前記測位基準信号の関連属性を示すことを含む
ことを特徴とする請求項７に記載のユーザーデバイス間の測位信号の送信方法。
【請求項９】
第１の送信モジュールと、第２の送信モジュールと、を備えるユーザーデバイスであって、
前記第１の送信モジュールは、通信インターフェースで測位基準信号を送信するように構成され、
前記第２の送信モジュールは、物理サイド制御チャネルＰＳＣＣＨ及び／又は物理サイド共有チャネルＰＳＳＣＨで情報送信を行うように構成され、
前記ＰＳＣＣＨ及び／又はＰＳＳＣＨでの情報送信は、前記測位基準信号の関連属性を示す
ことを特徴とするユーザーデバイス。
【請求項１０】
前記情報送信が前記測位基準信号の関連属性を示すことは、前記ＰＳＣＣＨ及び／又はＰＳＳＣＨにより情報送信を行う時間位置及び／又は周波数位置によって前記測位基準信号の関連属性を示すことを含む
ことを特徴とする請求項９に記載のユーザーデバイス。
【請求項１１】
前記測位基準信号の関連属性は、前記測位基準信号の時間位置、周波数位置、及び信号シーケンスのうちの少なくとも１つを含む
ことを特徴とする請求項１０に記載のユーザーデバイス。
【請求項１２】
前記ＰＳＣＣＨ及び／又はＰＳＳＣＨにより情報送信を行う時間位置及び／又は周波数位置によって前記測位基準信号の関連属性を示すことは、前記測位基準信号の時間位置が前記ＰＳＣＣＨ及び／又はＰＳＳＣＨにより情報送信を行う時間位置と同じであり、
又は、
前記測位基準信号の周波数位置が前記ＰＳＣＣＨ及び／又はＰＳＳＣＨにより情報送信を行う周波数位置と同じであり、
又は、
前記ＰＳＳＣＨ及び／又はＰＳＳＣＨの特定の時間位置及び／又は周波数位置を占用する前記第１の送信モジュールのみが前記測位基準信号を送信するように許可することを含む
ことを特徴とする請求項１０又は１１に記載のユーザーデバイス。
【請求項１３】
前記情報送信が前記測位基準信号の関連属性を示すことは、前記ＰＳＣＣＨ及び／又はＰＳＳＣＨで送信される情報のコンテンツによって前記測位基準信号の関連属性を示すことを含む
ことを特徴とする請求項９に記載のユーザーデバイス。
【請求項１４】
前記測位基準信号の関連属性は、前記測位基準信号の時間位置、周波数位置、及び信号シーケンスのうちの少なくとも１つを含む
ことを特徴とする請求項１３に記載のユーザーデバイス。
【請求項１５】
プロセッサによって実行されると、請求項１〜８のいずれか１項に記載の方法ステップ、を実現するコンピュータ実行可能命令を記憶した
ことを特徴とするコンピュータ記憶媒体。
【手続補正３】
【補正対象書類名】図面
【補正対象項目名】全図
【補正方法】変更
【補正の内容】
【図１】
2021516485.tif 000009
【図２】
2021516485.tif 000010
【図３】
2021516485.tif 000011
【図４】
2021516485.tif 000012
【図５】
2021516485.tif 000013
【図６】
2021516485.tif 000014
【国際調査報告】
2021516485.tif 000015
2021516485.tif 000016
2021516485.tif 000017
2021516485.tif 000018